(57)【要約】【課題】シート支持部に荷重が作用することに起因して、シート支持部材が装置本体から脱落することを防止できる画像形成装置を提供する。【解決手段】装置本体１の排紙壁面１２に設けられたシート出口である反転排紙口５から送り出されたシートである用紙の搬送方向を反転させて装置本体１に搬送するシート反転手段である反転ローラ対と、反転排紙口５から送り出された用紙の下面を支持するシート支持部である用紙ガイド部８２ｂと装置本体１へのトレイ取り付け部８２ｆとを有する反転トレイ８２等のシート支持部材と、を備える画像形成装置であるプリンタ１００において、トレイ取り付け部８２ｆは、壁面に接触する突き当て面８２ｄ等の突き当て面を有する突き当て部８２ｅと、用紙ガイド部８２ｂとは反対側に突き出し、固定手段である反転ユニット固定ネジ２８によって装置本体１に固定される反転トレイ突出部８２ｃとを有する。【選択図】図１９
2018043880.tif 000002
【特許請求の範囲】
【請求項１】
装置本体の壁面に設けられたシート出口から送り出されたシートの搬送方向を反転させて前記装置本体に搬送するシート反転手段と、
前記壁面から突き出し、前記シート出口から送り出されたシートの下面を支持するシート支持部を有するシート支持部材と、を備える画像形成装置において、
前記シート支持部の上方に位置し、前記シート支持部との間に反転するシートが通過する反転搬送路を形成するカバー部材を備え、
前記シート支持部材または前記カバー部材の少なくとも一方が、前記壁面に接触する突き当て面を形成する突き当て部を有し、
前記シート支持部材または前記カバー部材の少なくとも一方が、前記突き当て面を挟んで前記シート支持部とは反対側に突き出し、固定手段によって前記装置本体に固定される突出部を有することを特徴とする画像形成装置。
【請求項２】
装置本体の壁面に設けられたシート出口から送り出されたシートの搬送方向を反転させて前記装置本体に搬送するシート反転手段と、
前記壁面から突き出し、前記シート出口から送り出されたシートの下面を支持するシート支持部と前記装置本体への取り付け部とを有するシート支持部材と、を備える画像形成装置において、
前記取り付け部は、前記壁面に接触する突き当て面を形成する突き当て部と、
前記突き当て面を挟んで前記シート支持部とは反対側に突き出し、固定手段によって前記装置本体に固定される突出部と、を有することを特徴とする画像形成装置。
【請求項３】
請求項２の画像形成装置において、
前記シート支持部の上方に位置し、前記シート支持部との間に反転するシートが通過する反転搬送路を形成するカバー部材を備えることを特徴とする画像形成装置。
【請求項４】
請求項１または３に記載の画像形成装置において、
前記カバー部材の下面に、シートの搬送方向に沿う方向に延在する第一リブ群と、前記第一リブ群に交差するように延在する第二リブ群とを備え、
前記第一リブ群は、前記第二リブ群よりも下方に突出していることを特徴とする画像形成装置。
【請求項５】
請求項１、３または４の何れかに記載の画像形成装置において、
前記シート支持部材または前記カバー部材の少なくとも一方における、前記シート出口から送り出されるシートの排出方向の下流側端部は、
前記シート支持部の上を搬送され得る最大長さのシートの先端が最も排出方向下流側に到達する位置よりもさらに排出方向下流側に位置することを特徴とする画像形成装置。
【請求項６】
請求項１、３または４の何れかに記載の画像形成装置において、
前記シート支持部材及び前記カバー部材における、前記シート出口から送り出されるシートの排出方向の下流側端部は、
前記シート支持部の上を搬送され得る最大長さのシートの先端が最も排出方向下流側に到達する位置よりも排出方向上流側に位置することを特徴とする画像形成装置。
【請求項７】
請求項１、３乃至６の何れかに記載の画像形成装置において、
前記シート支持部材または前記カバー部材の少なくとも一方は、前記シート出口から送り出されるシートの排出方向の下流側の部分が上流側の部分に対して分割して着脱可能であることを特徴とする画像形成装置。
【請求項８】
請求項１、３乃至７の何れかに記載の画像形成装置において、
前記カバー部材の先端近傍の下面にリブを備えることを特徴とする画像形成装置。
【請求項９】
請求項１、３乃至８の何れかに記載の画像形成装置において、
前記カバー部材の上面の少なくとも一部を開放するカバー開閉部を備えることを特徴とする画像形成装置。
【請求項１０】
請求項１、３乃至９の何れかに記載の画像形成装置において、
前記シート支持部材に対して前記カバー部材を固定するカバー部材固定手段を備えることを特徴とする画像形成装置。
【請求項１１】
請求項１、３乃至１０の何れかに記載の画像形成装置において、
前記カバー部材の上面と、装置本体の上面とが同じ高さに位置することを特徴とする画像形成装置。
【請求項１２】
装置本体の壁面に設けられたシート出口から送り出されたシートの搬送方向を反転させて前記装置本体に搬送するシート反転手段と、
前記壁面から突き出し、前記シート出口から送り出されたシートの下面を支持するシート支持部を有するシート支持部材と、を備える画像形成装置において、
前記シート支持部材は、前記シート支持部の上方に位置し、前記シート支持部との間に反転するシートが通過する反転搬送路を形成するカバー部も形成しており、
前記シート支持部材は、前記壁面に接触する突き当て面を形成する突き当て部と、
前記突き当て面を挟んで前記シート支持部とは反対側に突き出し、固定手段によって前記装置本体に固定される突出部と、を有することを特徴とする画像形成装置。
【請求項１３】
請求項１乃至１２の何れかに記載の画像形成装置において、
前記カバー部材または前記シート支持部材の少なくとも一方は、前記シート出口から送り出されるシートの排出方向の下流側端部となる先端よりも、排出方向の上流側端部となる根元の方が厚くなる形状を有することを特徴とする画像形成装置。
【請求項１４】
請求項１乃至１３の何れかに記載の画像形成装置において、
前記突出部は、前記シート出口から送り出されるシートの排出方向で前記突き当て面の上流側に位置する装置本体の構造体である排出方向上流側構造体の上面に重なった状態で、前記固定手段によって前記排出方向上流側構造体に固定されることを特徴とする画像形成装置。
【請求項１５】
請求項１乃至１４の何れかに記載の画像形成装置において、
前記突き当て面と前記壁面とを固定する突き当て面固定手段を備えることを特徴とする画像形成装置。
【請求項１６】
請求項１乃至１５の何れかに記載の画像形成装置において、
前記シート支持部に対して前記搬送方向に直交する幅方向の少なくとも一方の外側に位置する装置本体部分を備え、
前記シート支持部材または前記カバー部材の少なくとも一方は、前記シート支持部に対して前記幅方向の外側に突出して前記装置本体部分に載っている幅方向突出部を備えることを特徴とする画像形成装置。
【請求項１７】
請求項１乃至１６の何れかに記載の画像形成装置において、
前記シート出口から送り出されるシートの排出方向における前記シート支持部の下流側端部を支持する柱状または壁状のシート支持部支持手段を備えることを特徴とする画像形成装置。
【発明の詳細な説明】
【技術分野】
【０００１】
本発明は、画像形成装置に関するものである。
【背景技術】
【０００２】
従来、シートが積載されるシート積載部の上方に、装置本体から送り込まれたシートの搬送方向を反転させて装置本体に搬送するシート反転部を備える画像形成装置が知られている。
【０００３】
例えば、特許文献１には、シート積載部の側方のシート出口が設けられた装置本体の垂直壁面から横方向に突出し、シート出口から送り出されるシートの下面を支持するシート支持部を有するシート支持部材を備える画像形成装置が記載されている。
【発明の概要】
【発明が解決しようとする課題】
【０００４】
しかしながら、特許文献１の画像形成装置のシート支持部材の下方はシート積載部となっており、シート支持部材はシート支持部の根元が装置本体の壁面に固定された片持ち梁構造となっている。このため、非稼動時等に使用者がシート以外の物品をシート支持部に積載すると、載置された物品の荷重によって作用する曲げモーメントが最大となるシート支持部の根元の装置本体との取り付け部が破損し、シート支持部材が装置本体から脱落するおそれがある。
このような問題は、シート支持部の上面に直接載置する場合に限らない。例えば、シート支持部の上方に配置され、シート支持部との間に反転搬送路を形成して、反転搬送路内で反転するシートをカバーするカバー部材を備える構成でも同様の問題が生じ得る。この構成の場合、カバー部材の上面に物が載置されることで、カバー部材を介してシート支持部に荷重が加わり、シート支持部の根元の装置本体との取り付け部が破損して、シート支持部材が装置本体から脱落するおそれがある。
【課題を解決するための手段】
【０００５】
上述した課題を解決するために、本発明は、装置本体の壁面に設けられたシート出口から送り出されたシートの搬送方向を反転させて前記装置本体に搬送するシート反転手段と、前記壁面から突き出し、前記シート出口から送り出されたシートの下面を支持するシート支持部を有するシート支持部材と、を備える画像形成装置において、前記シート支持部の上方に位置し、前記シート支持部との間に反転するシートが通過する反転搬送路を形成するカバー部材を備え、前記シート支持部材または前記カバー部材の少なくとも一方が、前記壁面に接触する突き当て面を形成する突き当て部を有し、前記シート支持部材または前記カバー部材の少なくとも一方が、前記突き当て面を挟んで前記シート支持部とは反対側に突き出し、固定手段によって前記装置本体に固定される突出部を有することを特徴とするものである。
【発明の効果】
【０００６】
本発明によれば、シート支持部またはカバー部材に荷重が作用することに起因して、シート支持部材が装置本体から脱落することを防止できる、という優れた効果がある。
【図面の簡単な説明】
【０００７】
【図１】実施形態のプリンタの外観斜視図。
【図２】図１に示すプリンタに反転ユニットを取り付けた状態の外観斜視図。
【図３】図２に示すプリンタから操作パネルと増設給紙トレイとを取り外した状態の外観斜視図。
【図４】図３に示すプリンタに反転延長ユニットを取り付けた状態の外観斜視図。
【図５】図４に示すプリンタの概略構成図。
【図６】図２に示すプリンタに反転延長ユニットを取り付けた状態の上部の外観斜視図。
【図７】図６に示すプリンタから操作パネルと装置手前側の外装カバーとを取り外した状態の外観斜視図。
【図８】図７に示すプリンタから反転延長ユニットを取り外した状態の外観斜視図。
【図９】排紙部右側板の上端部近傍の拡大斜視図。
【図１０】反転延長ユニットにおける排紙部右側板と対向する側の端面の拡大斜視図。
【図１１】反転延長ユニットの反転ユニットに対する係合部を示した拡大斜視図。
【図１２】図４に示すプリンタのカバー開閉部を開放状態とした外観斜視図。
【図１３】反転ユニットを構成する部材の装置本体に対する組み付け順を説明するプリンタの外観斜視図。
【図１４】反転上カバーのカバー固定部を反転トレイに固定した状態の斜視説明図。
【図１５】図１３に示す本体前側ブラケットの周辺の拡大斜視図。
【図１６】装置本体に対して反転トレイを組み付けた状態のプリンタの上面図。
【図１７】図１６に示すプリンタに反転上カバーを取り付けた状態の上部の斜視説明図。
【図１８】図１７に示すプリンタに本体右側上カバーを取り付けた状態の上部の斜視説明図。
【図１９】反転ユニットを装置本体に対して固定する構成の説明図、（ａ）は、反転ユニットの概略斜視図、（ｂ）は反転ユニットを装置本体に固定した状態のプリンタの右上部の概略正面図。
【図２０】変形例１の反転ユニットの分解斜視図。
【図２１】変形例２の反転ユニットの分解斜視図。
【図２２】変形例３の反転ユニットの分解斜視図。
【図２３】変形例４の反転ユニットの説明図、（ａ）は変形例４の反転ユニットの斜視説明図、（ｂ）は、変形例４の反転ユニットを備えるプリンタの上部の外観斜視図。
【図２４】実施形態と同様の構成を備える反転ユニットの斜視説明図。
【図２５】図２４に示す反転ユニットに突き当て面固定部１５を追加した構成の斜視説明図。
【図２６】変形例１の反転ユニットに後側突出部を設けた構成の分解斜視図。
【図２７】変形例２の反転ユニットに後側突出部を設けた構成の分解斜視図。
【図２８】変形例３の反転ユニットに後側突出部を設けた構成の分解斜視図。
【図２９】後側突出部を備える反転ユニットの他の例の分解斜視図。
【図３０】反転ユニットを一体成形したプリンタの上部の外観斜視図。
【図３１】反転ユニットと反転延長ユニットとを合わせた形状の反転ユニットを一体成形したプリンタの上部の外観斜視図。
【図３２】外付けユニットを取り付けた実施形態のプリンタの上部の外観斜視図。
【図３３】反転上カバーのカバー固定部の説明図、（ａ）は、カバー固定部の斜視説明図、（ｂ）は、カバー固定部の先端近傍の断面斜視図。
【図３４】反転上カバーのカバー開閉部の説明図、（ａ）は、カバー開閉部の斜視説明図、（ｂ）は、カバー開閉部の断面図。
【図３５】反転トレイ突出部を装置本体に対して固定する固定手段の変形例の構成を備えたプリンタの右上部の概略説明図。
【図３６】図３５のプリンタの固定手段と同様の構成の固定手段を備えたプリンタの他の例の説明図、（ａ）は、プリンタの右上部の概略段面図。
【図３７】柱状の反転ユニット支持部材を備えるプリンタの上部の外観斜視図。
【図３８】壁状の反転ユニット支持部材を備えるプリンタの上部の外観斜視図。
【図３９】反転ユニットが排紙部の上方の一部を覆う構成で、反転ユニットの上面が装置本体の上面よりも上方に突出したプリンタの上部の外観斜視図。
【図４０】反転ユニットが排紙部の上方の全体を覆う構成で、反転ユニットの上面が装置本体の上面よりも上方に突出したプリンタの上部の外観斜視図。
【図４１】反転ユニットが排紙部の上方の一部を覆う構成で、反転ユニットの上面が装置本体の上面よりも下方に凹んだプリンタの上部の外観斜視図。
【図４２】反転ユニットが排紙部の上方の全体を覆う構成で、反転ユニットの上面が装置本体の上面よりも下方に凹んだプリンタの上部の外観斜視図。
【図４３】反転ユニットが排紙部の上方の一部を覆う構成で、反転トレイが薄板からなるプリンタの上部の外観斜視図。
【図４４】反転ユニットが排紙部の上方の全体を覆う構成で、反転トレイが薄板からなるプリンタの上部の外観斜視図。
【発明を実施するための形態】
【０００８】
以下、本発明を電子写真方式の画像形成装置であるプリンタに適用した実施形態について説明する。
図１は、本実施形態に係る画像形成装置の一例であるプリンタ１００の外観斜視図である。
図１に示すように、プリンタ１００は、装置本体１の右側上面に操作手段である操作パネル２が固定されており、装置本体１の下方に増設給紙トレイ３を備える。
装置本体１の左手前側上面は、右側上面よりも低くなっており、装置本体１内で画像が形成された用紙Ｐを積載する排紙トレイ７２となっている。排紙トレイ７２の右側端部で上下方向に延在する排紙壁面１２には、排紙トレイ７２に向けて用紙Ｐを排出する積載排紙口６と、搬送方向を反転される用紙Ｐが通過する反転排紙口５とが設けられている。
【０００９】
図２は、図１に示すプリンタ１００の反転排紙口５と対向する位置に、反転ユニット８０を取り付けた状態を示す外観斜視図である。
図２に示すように、反転ユニット８０は、反転トレイ８２と、反転上カバー８３とを備え、反転上カバー８３は、反転トレイ８２に対して固定されるカバー固定部８３ａと、カバー固定部８３ａに対して開閉可能なカバー開閉部８３ｂと、から成る。
【００１０】
図３は、図２に示すプリンタ１００から操作パネル２と増設給紙トレイ３とを取り外した状態のプリンタ１００の外観斜視図である。図４は、図３に示すプリンタ１００に、反転延長トレイ８４及び反転延長上カバー８５からなる反転延長ユニット１８を取り付けた状態のプリンタ１００の外観斜視図である。
図５は、図４に示す状態のプリンタ１００の概略構成図である。以下、図５を用いて本実施形態に係るプリンタ１００の基本的な構成について説明する。
【００１１】
プリンタ１００は、装置本体１内の画像形成部４に、四つのドラム状の像担持体としての感光体１０（Ｙ，Ｍ，Ｃ，Ｂｋ）を備える。四つの感光体１０（Ｙ，Ｍ，Ｃ，Ｂｋ）には、それぞれイエロートナー像、マゼンタトナー像、シアントナー像及びブラックトナー像が形成される。四つの感光体１０（Ｙ，Ｍ，Ｃ，Ｂｋ）に対向して中間転写体である中間転写ベルト２５が配置されており、四つの感光体１０（Ｙ，Ｍ，Ｃ，Ｂｋ）がそれぞれ中間転写ベルト２５の表面に当接している。本実施形態における中間転写ベルト２５は、駆動ローラ３１、従動ローラ３３及びテンションローラ３４によって回転可能に張架されている。
【００１２】
感光体１０（Ｙ，Ｍ，Ｃ，Ｂｋ）上へのトナー像の形成と、中間転写ベルト２５上へ各トナー像の転写は、実質的に感光体１０（Ｙ，Ｍ，Ｃ，Ｂｋ）においてすべて同一であり、形成される各トナー像の色が異なるだけである。このため、四つの感光体１０（Ｙ，Ｍ，Ｃ，Ｂｋ）のうち、ブラック用感光体１０Ｂｋにブラックトナー像を形成し、そのブラックトナー像を中間転写ベルト２５上に転写する構成と作用について説明する。
【００１３】
ブラック用感光体１０Ｂｋは図中時計回り方向に回転駆動され、ブラック用感光体１０Ｂｋの表面はブラック用帯電装置８Ｂｋによって所定極性であるマイナス極性に一様に帯電される。このように帯電されたブラック用感光体１０Ｂｋの表面に、露光装置９から書込光を照射して画像情報に対応した静電潜像を形成する。ブラック用感光体１０Ｂｋの回転に伴い、静電潜像が形成されたブラック用感光体１０Ｂｋの表面部分が、ブラック用現像装置７Ｂｋとの対向部である現像領域を通過するときに、ブラック用現像装置７Ｂｋ内のブラックトナーにより静電潜像が現像される。これにより、ブラックトナー像として可視像化される。一方、中間転写ベルト２５の内側には、中間転写ベルト２５を挟んでブラック用感光体１０Ｂｋと対向する位置にブラック用一次転写ローラ２０Ｂｋが配置されている。このブラック用一次転写ローラ２０Ｂｋが中間転写ベルト２５の裏面に当接することで、ブラック用感光体１０Ｂｋと中間転写ベルト２５との間に適正な一次転写ニップを確保している。
【００１４】
ブラック用一次転写ローラ２０Ｂｋには、ブラック用感光体１０Ｂｋの表面に形成されたブラックトナー像のトナー帯電極性とは逆極性であるプラス極性の一次転写電圧が印加される。これにより、ブラック用感光体１０Ｂｋと中間転写ベルト２５との間に転写電界が形成され、ブラック用感光体１０Ｂｋと同期して回転駆動される中間転写ベルト２５上に、ブラック用感光体１０Ｂｋ上のブラックトナー像が静電的に転写される。ブラックトナー像を中間転写ベルト２５上に転写した後のブラック用感光体１０Ｂｋの表面に付着する転写残トナーは、ブラック用クリーニング装置１１Ｂｋによって除去され、ブラック用感光体１０Ｂｋの表面が清掃される。
【００１５】
同様にして、他の感光体１０（Ｙ，Ｍ，Ｃ）には、イエロートナー像、マゼンタトナー像及びシアントナー像がそれぞれ形成され、その各色のトナー像は、ブラックトナー像の転写された中間転写ベルト２５上に重ね合わせて転写される。
【００１６】
装置本体１内の下部には、用紙Ｐを収容する給紙カセット４００と、給紙カセット４００に収容された用紙Ｐを給紙する給紙搬送装置４０と、が配置されている。そして、給紙搬送装置４０に設けられた給紙ローラ４１を回転させることにより、給紙カセット４００に収容された最上位の用紙Ｐが送り出される。このように給紙カセット４００から送り出された用紙Ｐは、搬送ローラ対４２によってレジストローラ対４３に送られる。そして、レジストローラ対４３により、所定のタイミングで駆動ローラ３１に巻き掛けられた中間転写ベルト２５の部分と、これに対向配置された二次転写装置３０の二次転写ローラ３２との間に形成された二次転写ニップに送られる。このとき、二次転写ローラ３２に所定の二次転写電圧を印加することで、中間転写ベルト２５と二次転写ローラ３２との間に転写電界が形成され、中間転写ベルト２５上のトナー像が用紙Ｐに二次転写される。
【００１７】
トナー像が転写された用紙Ｐは、二次転写ニップよりもさらに装置上方に配置された定着装置５０に向けて搬送される。定着装置５０は、互いに当接し合う定着ローラ５１と加熱ローラ５２とを有しており、定着ローラ５１と加熱ローラ５２とによって形成された定着ニップを用紙Ｐが通過するときに、熱と圧力とによって用紙Ｐ上のトナー像を用紙Ｐに定着させる。
【００１８】
その後、トナー像が定着された用紙Ｐは、装置本体１の上部に設けられた排出経路に排出される。用紙Ｐの片面だけに画像を形成する片面画像形成時では、用紙Ｐが排紙部７０に送られるように、切り替え爪６０によって用紙搬送経路を切り替える。排紙部７０は、排紙ローラ対７１と排紙トレイ７２とを有しており、排紙部７０に送られた用紙Ｐは、排紙ローラ対７１によって排紙トレイ７２に排出され、排紙トレイ７２上に順次積載されていく。
【００１９】
排紙トレイ７２の上方には、反転ユニット８０及び反転延長ユニット１８を備える反転部２００が設置されている。反転トレイ８２及び反転延長トレイ８４は、反転ローラ対８１によって反転される用紙Ｐの下面を支持し、用紙Ｐが各トレイの上面に沿って移動するように案内する。
図５に示す、反転部２００における用紙搬送方向で反転ローラ対８１から反転延長トレイ８４の端面までの距離「ｂ」は、給紙カセット４００の用紙搬送方向長さ「ａ」よりも長くなっている。また、反転延長トレイ８４の端面は、装置本体の端部面と垂直方向で一致しており、端部方向が狭い設置スペースの場合の装置本体１の移動を不要としている。
【００２０】
プリンタ１００は、用紙Ｐが積載されるシート積載部である排紙トレイ７２と、送り込まれた用紙Ｐの搬送方向を反転させて送り出すためシート搬送経路である反転経路を形成するシート反転部である反転部２００とを備える。
【００２１】
反転トレイ８２の上方には、反転トレイ８２を覆う反転上カバー８３が設けられており、反転延長トレイ８４の上方には、反転延長トレイ８４を覆う反転延長上カバー８５が設けられている。反転延長トレイ８４と反転延長上カバー８５とは、それぞれ反転トレイ８２と反転上カバー８３とに対して、反転トレイ突入時の用紙搬送方向下流側に設けられている。
プリンタ１００では、反転トレイ８２と反転上カバー８３とからなる反転ユニット８０は装置本体１に後述する組み付けによって固定されており、反転延長ユニット１８は装置本体１に対して任意に着脱可能となっている。
【００２２】
図３に示す状態では、反転延長ユニット１８を取り外しているため、装置本体１の排紙部７０における用紙排出方向と平行であって用紙排出方向に対して右側の側板である排紙部右側板１ａが露出する。また、図３に示す状態では、反転トレイ８２の用紙搬送方向下流側端面である反転トレイ下流側端面８２ａと、反転上カバー８３の用紙搬送方向下流側端面である反転上カバー下流側端面８３ｃと、が露出する。
図４に示す状態では、反転延長トレイ８４は、排紙部右側板１ａと反転トレイ下流側端面８２ａとで成すＬ字型の二面に接し、反転延長上カバー８５は、排紙部右側板１ａと反転上カバー下流側端面８３ｃとで成すＬ字型の二面に接している。
【００２３】
図４に示すように、反転部２００の反転上カバー８３及び反転延長上カバー８５の上面が、プリンタ１００のその他の上面部分と段差がないように構成することで、プリンタ１００の高さ方向の寸法を小さくでき、プリンタ１００の小型化を図ることができる。
【００２４】
両面画像形成時においては、切り替え爪６０によって用紙搬送経路の切り替えが行われ、画像形成部４で片面印刷された用紙Ｐは、もう一方の面にも画像形成するために反転部２００に搬送される。反転部２００に搬送された用紙Ｐは、反転手段としての反転ローラ対８１によって後端が挟持されたまま、一旦、反転排紙口５から反転トレイ８２及び反転延長トレイ８４の上に排出される。その後、反転ローラ対８１を回転駆動させる駆動モータを制御して反転ローラ対８１を逆回転させることにより、用紙Ｐは、スイッチバックして再給紙経路部９０に給送される。
【００２５】
再給紙経路部９０に給送された用紙Ｐは、複数の搬送ローラ対（９１，９２，９３，９４）を順次介してレジストローラ対４３により転写部に送り込まれ、用紙Ｐのもう一方の面である裏面に中間転写ベルト２５から画像が二次転写される。両面印刷された用紙Ｐは、画像形成部４から積載排紙口６に向けて搬送され、積載排紙口６から排出されて、紙積載部である排紙トレイ７２に積載される。
【００２６】
図４及び図５に示す反転部２００は、反転延長ユニット１８を装置本体１に取り付けている。これにより、給紙カセット４００に載置することが可能な最大長さ（用紙搬送方向長さが「ａ」）の用紙Ｐを反転トレイ８２及び反転延長トレイ８４で支持することが可能となる。
反転延長ユニット１８を取り付けた反転部２００は、Ａ３サイズやＤＬＴサイズ（ダブルレターサイズ）のような長尺な用紙Ｐを反転する際にも、用紙全長において用紙下面の案内と用紙上面のカバーをすることができる長さを有する。これとともに、反転延長ユニット１８を装置本体１に対して取り外すことで、用紙下面の案内と用紙上面をカバー可能とする長さが調節可能となっている。
【００２７】
次に、反転延長ユニット１８を着脱する機構について説明する。
図６は、図２に示す状態のプリンタ１００に対して反転延長ユニット１８を取り付けた状態の上部の外観斜視図である。図７は、図６に示すプリンタ１００から、操作パネル２と装置手前側の外装カバーとを取り外した状態の外観斜視図である。図８は、図７に示すプリンタ１００から、反転延長ユニット１８を取り外した状態の外観斜視図である。図９は、排紙部右側板１ａの上端部近傍の拡大斜視図である。
【００２８】
図３、図８及び図９に示すように、排紙部右側板１ａには、反転延長ユニット１８を引っ掛けるための引っ掛け孔８７ａと、その下方に配置された貫通孔８７ｂとが用紙搬送方向の二箇所に設けられている。図１０は、反転延長ユニット１８における排紙部右側板１ａと対向する側の端面の拡大斜視図である。図１０に示すように、反転延長ユニット１８は引っ掛け孔８７ａに係合する反転係合部材８６と、反転係合部材８６の下方に設けられ、貫通孔８７ｂに係合する位置決め凸部８５ａとを備える。
反転係合部材８６の先端には上方に向けて突き出たフック形状部８６ａを有する。このフック形状部８６ａを引っ掛け孔８７ａに引っ掛けた状態で、位置決め凸部８５ａが排紙部右側板１ａに向かうように反転延長ユニット１８を回転させる。これにより、二つの反転係合部材８６が二つの引っ掛け孔８７ａに係合するとともに、二つの位置決め凸部８５ａが二つの貫通孔８７ｂに係合し、反転延長ユニット１８の装置本体１に対する装着が完了する。
【００２９】
また、本実施形態においては、反転延長上カバー８５の用紙幅方向における反転係合部材８６が設けられた一端側の厚みは、用紙幅方向で他端側の厚みよりも厚くなっている。これにより、反転延長ユニット１８を装置本体１に取り付けたときに付け根部分となる反転延長上カバー８５の前記一端側における剛性が、前記他端側よりも高まり、反転延長ユニット１８が撓むのを抑制できる。
反転延長ユニット１８の装置本体１に対する装着が完了する。
【００３０】
このような手順により、工具を使用することなく容易に、反転延長ユニット１８を装置本体１に装着することができる。
位置決め凸部８５ａが貫通孔８７ｂに挿入されることで、装置本体１に対する反転延長ユニット１８の位置決めがなされる。
【００３１】
図１１は、装置手前側における反転延長ユニット１８の反転ユニット８０に対する係合部を示した拡大斜視図である。反転延長上カバー８５における用紙幅方向で反転係合部材８６が位置する側とは逆の逆側（装置手前側）の端部近傍に位置決め部材８９を設けている。位置決め部材８９は、装置本体１に固定された反転トレイ８２または反転上カバー８３に設けられた挿入孔に対して係合及び分離が可能となっている。
【００３２】
反転延長ユニット１８の位置決め部材８９は、排紙部右側板１ａに直交する面（反転トレイ下流側端面８２ａまたは反転上カバー下流側端面８３ｃ）に設けられた前記挿入孔と係合する。位置決め部材８９は、反転トレイ８２または反転上カバー８３に設けた前記挿入孔に対して進退可能な移動部材であり、用紙搬送方向に平行な方向に移動可能に構成されている。また、反転延長上カバー８５には、位置決め部材８９に設けられたロックレバー８９ａをユーザーが摘んで、位置決め部材８９をスライド移動させるための操作窓８５ｂが設けられている。そして、ユーザーが操作窓８５ｂからロックレバー８９ａを摘んで位置決め部材８９をスライド移動させて、前記挿入孔に対して位置決め部材８９を進退させる。前記挿入孔に挿入された位置決め部材８９は、前記挿入孔の少なくとも上側の内壁面と接触して位置決めされる。
【００３３】
フック形状部８６ａ及び位置決め凸部８５ａが、引っ掛け孔８７ａ及び貫通孔８７ｂに係合した状態で、位置決め部材８９を反転ユニット８０側にスライド移動させることで、反転延長ユニット１８を装置本体１に対して固定できる。そして、位置決め部材８９を反転ユニット８０側とは反対側にスライド移動させることで、反転延長ユニット１８が装置本体１に対して着脱可能となる。
反転延長ユニット１８を取り付けることで、反転部２００における反転経路を通紙する用紙Ｐの最大長さまで延長することができ、反転される用紙Ｐの全体を保護することが可能となる。
【００３４】
最大長さの用紙Ｐを保護する構成としては、反転延長ユニット１８の反転延長トレイ８４と反転延長上カバー８５との両方が、最大長さの用紙Ｐに対応する構成に限るものではない。反転延長トレイ８４のみが最大長さの用紙Ｐに対応する長さを備えることであっても、最大長さの用紙Ｐが反転する際に垂れ下がることを抑制できる。また、反転延長上カバー８５のみが最大長さの用紙Ｐに対応する長さを備えることであっても、最大長さの用紙Ｐが反転する際に使用者が反転する用紙Ｐに接触することを抑制できる。
反転延長ユニット１８を装置本体１に固定する各部の固定は、上述した各係合部の構成に限らず、マグネットやロックレバー、爪のはめ込み等を用いることができる。
【００３５】
図１２は、図４に示す状態のプリンタ１００における反転上カバー８３のカバー開閉部８３ｂを開放状態とした外観斜視図である。反転経路で紙詰まりが生じた場合、図１２に示すように、カバー開閉部８３ｂを開放することにより、反転経路内に詰まった用紙Ｐを容易に除去することが可能となる。
【００３６】
図３に示すように、反転延長ユニット１８を取り外した状態のプリンタ１００では、反転する用紙Ｐの先端が反転ユニット８０の先端から突き出して、垂れ下がることがある。しかし、反転延長ユニット１８を取り外し、反転ユニット８０のみとすることで、反転部２００を構成する部材による排紙トレイ７２の上方の遮蔽面積が減少する。これにより、反転ユニット８０の下方に位置する排紙トレイ７２の視認性が向上する。さらに、排紙トレイ７２からの用紙Ｐの取り出し等の操作を行なう操作可能空間が広がり、排紙の取り出し易さ等の操作性が向上する。
【００３７】
シート支持部材である反転トレイ８２及び反転延長トレイ８４の分割部では、反転トレイ８２の反転トレイ下流側端面８２ａを形成する壁部が、シート支持部材の変形を抑制するリブと同様に作用する。このため、反転延長トレイ８４を配置する長さまで一つの部材からなる反転トレイ８２を延在させた構造よりも、同じ長さを二つ以上の部材を繋げた構造の方がシート支持部材の剛性を高めることが出来る。
また、カバー部材である反転上カバー８３及び反転延長上カバー８５の分割部では、反転上カバー８３の反転上カバー下流側端面８３ｃを形成する壁部が、カバー部材の変形を抑制するリブと同様に作用する。このため、反転延長上カバー８５を配置する範囲まで一つの部材からなる反転上カバー８３を延在させた構造よりも、同じ長さを二つ以上の部材を繋げた構造の方がカバー部材の剛性を高めることが出来る。
シート支持部材やカバー部材の剛性を高めることで、カバー部材の上面からの荷重に対してシート支持部材やカバー部材が変形することを抑制することができる。
【００３８】
次に、装置本体１に対する反転ユニット８０の組み付けについて説明する。
図１３は、反転ユニット８０を構成する部材の装置本体１に対する組み付け順を説明するプリンタ１００の上部の外観斜視図である。
図１３に示すように、反転ユニット８０を取り外した状態では、装置本体１の本体右側上面フレーム２９と、本体後側上面フレーム２１と、本体前側ブラケット２２とが露出する。
【００３９】
図１４は、反転上カバー８３のカバー固定部８３ａを反転トレイ８２に、固定した状態の斜視説明図である。図１３及び図１４に示すように、反転トレイ８２の上面には四つのカバー係合爪２４を備え、カバー固定部８３ａの下面に設けられた四つの爪係合部と係合することで、反転トレイ８２とカバー固定部８３ａとが固定される。図１４では、手前側の符号「２４」の破線で示す引き出し線の端部におけるカバー固定部８３ａの下方に反転トレイ８２における手前側の二つのカバー係合爪２４が設けられている。
図１５は、図１３に示す本体前側ブラケット２２の周辺の拡大斜視図である。
【００４０】
組み付けの際には、図１３に示す装置本体１に対して反転トレイ８２を組み付けて、固定し、カバー固定部８３ａとカバー開閉部８３ｂとを一体化した反転上カバー８３を反転トレイ８２に固定する。最後に本体右側上カバー２３を取り付ける。
【００４１】
図１６は、装置本体１に対して反転トレイ８２を組み付けた状態のプリンタ１００の上面図である。図１６に示す三箇所の反転ユニット固定ネジ穴２６にネジを通し、装置本体１の本体右側上面フレーム２９に対してネジ止めすることで反転トレイ８２を装置本体１に対して固定する。図１６に示す状態では、本体前側ブラケット２２に反転トレイ８２が被さり、反転トレイ８２の手前側端部は、本体前側ブラケット２２によって支持される。
【００４２】
カバー固定部８３ａとカバー開閉部８３ｂとは嵌め込み爪によって一体化し、反転上カバー８３を構成する。図１７は、図１６に示す状態に対して反転上カバー８３を取り付けた状態のプリンタ１００の上部の斜視説明図である。反転上カバー８３の下面に備える爪係合部と反転トレイ８２のカバー係合爪２４とを係合させ、反転上カバー８３と反転トレイ８２とをネジで固定する。これにより、反転上カバー８３の上面に物品を積載されても紙詰まりや破損し難い強度を確保することができる。装置本体１に対する反転トレイ８２の固定手段や、反転トレイ８２に対する反転上カバー８３の固定手段としては、ネジ止めに限らず、ロックレバーや爪の嵌め込み等を用いることができる。
【００４３】
図１８は、図１７に示す状態に対して、本体右側上カバー２３を取り付けた状態のプリンタ１００の上部の斜視説明図である。本体右側上カバー２３を取り付けることで、本体右側上面フレーム２９の上方を覆う。
【００４４】
次に、反転ユニット８０を装置本体１に対して固定する構成について説明する。
図１９は、反転ユニット８０を装置本体１に対して固定する構成の説明図であり、図１９（ａ）は、反転ユニット８０の概略斜視図であり、図１９（ｂ）は反転ユニット８０を装置本体１に固定した状態のプリンタ１００の右上部の概略正面図である。
【００４５】
プリンタ１００は、図５に示すように、シート反転手段である反転ローラ対８１を備える。反転ローラ対８１は、排紙部７０を形成する装置本体１の壁面の一つである排紙壁面１２に設けられシート出口である反転排紙口５から送り出される用紙Ｐの搬送方向を反転させて装置本体１の内部に搬送する。また、プリンタ１００は、図１９に示すように、排紙壁面１２から横方向に突き出し、反転排紙口５から送り出される用紙Ｐの下面を支持するシート支持部である用紙ガイド部８２ｂを有するシート支持部材である反転トレイ８２を備える。
【００４６】
反転トレイ８２は、用紙ガイド部８２ｂの反転排紙口５側の端部で上下方向に延在して排紙壁面１２に接触する突き当て面８２ｄを形成する突き当て部８２ｅを備える。さらに、反転トレイ８２は、突き当て面８２ｄを挟んで用紙ガイド部８２ｂとは反対側に突き出した突出部である反転トレイ突出部８２ｃを備える。
プリンタ１００は、反転トレイ突出部８２ｃを装置本体１の構造体である本体右側上面フレーム２９に固定する固定手段として、反転ユニット固定ネジ２８を備える。
反転トレイ８２は、突き当て部８２ｅと反転トレイ突出部８２ｃとによって装置本体に対する取り付け部であるトレイ取り付け部８２ｆを構成する。
【００４７】
また、プリンタ１００は、用紙ガイド部８２ｂの上方に位置し、用紙ガイド部８２ｂとの間に反転する用紙Ｐが通過する反転搬送路である反転経路を形成するカバー部材である反転上カバー８３を備える。
プリンタ１００の反転上カバー８３の上面に使用者が物品を積載すると、反転上カバー８３を介して用紙ガイド部８２ｂに荷重が加わる。
このとき、用紙ガイド部８２ｂの根元を中心に用紙ガイド部８２ｂの先端が下がるように回転する方向のモーメントが反転トレイ８２に作用するが、突き当て面８２ｄが装置本体１の排紙壁面１２に突き当たる。これにより、用紙ガイド部８２ｂの根元を中心に反転トレイ８２が回転するように変位することを防止できる。
【００４８】
また、反転トレイ８２において、用紙ガイド部８２ｂに荷重が加わり、突き当て面８２ｄが排紙壁面１２に突き当たる状態では、次のようなモーメントが作用する。すなわち、突き当て面８２ｄの下端を中心に突き当て面８２ｄの上端が図１９（ｂ）中の左方向に移動するように回転する方向のモーメントが反転トレイ８２に作用する。プリンタ１００では、反転ユニット８０における突き当て面８２ｄを挟んで図１９（ｂ）中の右方向に突き出した反転トレイ突出部８２ｃに反転ユニット固定ネジ穴２６を備える。そして、反転ユニット固定ネジ穴２６に反転ユニット固定ネジ２８を通して、反転トレイ突出部８２ｃを装置本体１の本体右側上面フレーム２９に固定する。反転トレイ突出部８２ｃが装置本体１に対して固定されることで、反転トレイ突出部８２ｃの根元となる突き当て面８２ｄの上端が図１９（ｂ）中の左方向に移動することを防止できる。
【００４９】
突き当て面８２ｄの下端を中心とした上記モーメントが作用すると、反転ユニット固定ネジ２８によって固定された反転トレイ突出部８２ｃに対して突き出し方向に沿った引張応力が作用する。板状の反転トレイ突出部８２ｃは引張応力が作用しても変形が生じ難いため、上記モーメントが作用しても反転ユニット固定ネジ２８による固定位置に対して、用紙ガイド部８２ｂや突き当て部８２ｅが変位することを防止できる。
【００５０】
また、反転ユニット固定ネジ２８によって反転トレイ突出部８２ｃの本体右側上面フレーム２９に対する上下方向の位置を固定する。これにより、用紙ガイド部８２ｂに荷重が加わったときに、反転トレイ突出部８２ｃが本体右側上面フレーム２９に対して浮き上がることを防止できる。
【００５１】
このような構成により、用紙ガイド部８２ｂに荷重が作用した際に反転トレイ８２が装置本体１に対して変位することを抑制し、装置本体１に対する反転トレイ８２の組み付け強度を確保している。このため、用紙ガイド部８２ｂに荷重が作用することに起因して装置本体１から反転トレイ８２が脱落することを防止できる。
【００５２】
プリンタ１００では、反転トレイ８２の用紙ガイド部８２ｂが、用紙Ｐの下面を支持することで、反転中の用紙Ｐの垂れ下がりを抑制できる。また、反転上カバー８３によって、反転中の用紙Ｐに使用者等の手が触れることを抑制できる。また、反転上カバー８３の爪係合部と反転トレイ８２のカバー係合爪２４とを係合させ、反転上カバー８３と反転トレイ８２とをネジで固定することにより、反転上カバー８３と反転トレイ８２とを一体化して、反転ユニット８０を構成している。
【００５３】
また、図１９に示すように、反転トレイ８２の用紙ガイド部８２ｂの根元に位置する突き当て部８２ｅの突き当て面８２ｄは、用紙ガイド部８２ｂの先端面である反転トレイ下流側端面８２ａよりも高さ方向に長い。そして、図１３及び図１９に示すように、用紙ガイド部８２ｂの用紙幅方向の両端は反転トレイ下流側端面８２ａから突き当て面８２ｄの側ほど高さ方向に長くなる。また、図１９（ｂ）のように装置正面側から見ると用紙ガイド部８２ｂの根元側ほど厚みが大きくなる形状となっている。このような形状により、用紙ガイド部８２ｂに荷重が作用したときの用紙ガイド部８２ｂの撓みを抑制することができる。
【００５４】
実施形態のプリンタ１００では、反転トレイ８２の反転トレイ突出部８２ｃを装置本体１の上面（本体右側上面フレーム２９）に固定している。このような構成では、用紙ガイド部８２ｂに荷重が作用したときに、反転トレイ突出部８２ｃが引っ張られる方向は、反転ユニット固定ネジ２８の軸方向に対して略直交する方向となる。このため、用紙ガイド部８２ｂに荷重が作用しても、反転ユニット固定ネジ２８が抜けることはなく、突き当て部８２ｅの上端が用紙ガイド部８２ｂ側に移動することを防止し、突き当て部８２ｅが用紙ガイド部８２ｂ側に撓むことを防止できる。
【００５５】
実施形態のプリンタ１００では、反転ユニット８０が突き当て部８２ｅを有するため、排紙壁面１２の上端と接触する位置は、反転ユニット８０における突き当て面８２ｄの上端となる。そして、実施形態のプリンタ１００で用紙ガイド部８２ｂに荷重が作用してときには、突き当て面８２ｄが排紙壁面１２に突き当たる。このため、荷重が作用する前に排紙壁面１２の上端に接触していた部分の位置が、反転ユニット固定ネジ２８による固定部に近づくように変位することを防止し、用紙ガイド部８２ｂが垂れ下がるような撓みが生じることを抑制できる。
【００５６】
以下、反転ユニット８０の変形例について説明する。
【００５７】
〔変形例１〕
図２０は、反転ユニット８０の一つ目の変形例（以下、「変形例１」と呼ぶ）の分解斜視図である。
図２０に示す変形例１の反転ユニット８０は、突き当て面８２ｄを挟んで用紙ガイド部８２ｂとは反対側に突き出た突出部として、反転上カバー８３に反転上カバー突出部８３ｄを設け、組み付け強度を確保する構成である。
変形例１の反転ユニット８０では、図２０中の破線矢印で示すように、反転上カバー８３の爪係合部２７と反転トレイ８２のカバー係合爪２４とを係合させることで、反転トレイ８２と反転上カバー８３とを一体化する。そして、反転上カバー８３の反転上カバー突出部８３ｄに設けた反転ユニット固定ネジ穴２６にネジを通し、本体右側上面フレーム２９に対してネジ止めすることで、反転ユニット８０を装置本体１に対して固定する。
【００５８】
このような構成により、反転上カバー８３における用紙ガイド部８２ｂを覆う部分に荷重が作用した際に反転ユニット８０が装置本体１に対して変位することを抑制し、装置本体１に対する反転ユニット８０の組み付け強度を確保している。このため、反転上カバー８３における用紙ガイド部８２ｂを覆う部分に荷重が作用することに起因して反転トレイ８２を備える反転ユニット８０が装置本体１から脱落することを防止できる。
【００５９】
〔変形例２〕
図２１は、反転ユニット８０の二つ目の変形例（以下、「変形例２」と呼ぶ）の分解斜視図である。
図２１に示す変形例２の反転ユニット８０は、突き当て面８２ｄを挟んで用紙ガイド部８２ｂとは反対側に突き出た突出部として、反転トレイ８２に反転トレイ突出部８２ｃを設け、組み付け強度を確保する構成である。
変形例２の反転ユニット８０は、反転上カバー８３の爪係合部２７と、反転トレイ８２のカバー係合爪２４とを二箇所ずつ備える。さらに、スナップフィットによって係合を行なう構成として、スナップフィットの係合凸部１３を反転上カバー８３に二箇所備え、係合凸部１３と係合するスナップフィットの係合受部１４を反転トレイ８２に二箇所備える。
【００６０】
変形例２の反転ユニット８０は、図２１中の破線矢印で示すように、反転上カバー８３の爪係合部２７と反転トレイ８２のカバー係合爪２４とを係合させるとともに、反転上カバー８３の係合凸部１３と反転トレイ８２の係合受部１４とを係合させる。これにより、反転トレイ８２と反転上カバー８３とを一体化する。そして、反転トレイ８２の反転トレイ突出部８２ｃに設けた反転ユニット固定ネジ穴２６にネジを通し、本体右側上面フレーム２９に対してネジ止めすることで、反転ユニット８０を装置本体１に対して固定する。
【００６１】
このような構成により、反転上カバー８３における用紙ガイド部８２ｂを覆う部分に荷重が作用した際に反転ユニット８０が装置本体１に対して変位することを抑制し、装置本体１に対する反転ユニット８０の組み付け強度を確保している。このため、反転上カバー８３における用紙ガイド部８２ｂを覆う部分に荷重が作用することに起因して反転トレイ８２を備える反転ユニット８０が装置本体１から脱落することを防止できる。
また、変形例２の反転ユニット８０では、スナップフィットを用いて固定することで、反転トレイ８２と反転上カバー８３とをより強固に固定することができる。
【００６２】
〔変形例３〕
図２２は、反転ユニット８０の三つ目の変形例（以下、「変形例３」と呼ぶ）の分解斜視図である。
図２２に示す変形例５の反転ユニット８０は、突き当て面８２ｄを挟んで用紙ガイド部８２ｂとは反対に突き出た突出部として、反転ユニット８０に反転トレイ突出部８２ｃを設けるとともに、反転上カバー８３に反転上カバー突出部８３ｄを設けている。これら二つの突出部を本体右側上面フレーム２９に固定することによって組み付け強度を確保する構成である。
【００６３】
変形例３の反転ユニット８０では、図２２中の破線矢印で示すように、反転上カバー８３の爪係合部２７と反転トレイ８２のカバー係合爪２４とを係合させることで、反転トレイ８２と反転上カバー８３とを一体化する。そして、反転トレイ８２の反転トレイ突出部８２ｃに設けた反転ユニット固定ネジ穴２６にネジを通し、本体右側上面フレーム２９に対してネジ止めする。さらに、反転上カバー８３の反転上カバー突出部８３ｄに設けた反転ユニット固定ネジ穴２６にネジを通し、本体右側上面フレーム２９に対してネジ止めする。反転トレイ突出部８２ｃ及び反転上カバー突出部８３ｄを本体右側上面フレーム２９に対してネジ止めすることで、反転ユニット８０を装置本体１に対して固定する。
【００６４】
このような構成により、反転上カバー８３における用紙ガイド部８２ｂを覆う部分に荷重が作用した際に反転ユニット８０が装置本体１に対して変位することを抑制し、装置本体１に対する反転ユニット８０の組み付け強度を確保している。このため、反転上カバー８３における用紙ガイド部８２ｂを覆う部分に荷重が作用することに起因して反転トレイ８２を備える反転ユニット８０が装置本体１から脱落することを防止できる。
【００６５】
〔変形例４〕
図２３は、反転ユニット８０の四つ目の変形例（以下、「変形例４」と呼ぶ）の説明図であり、図２３（ａ）は、変形例４の反転ユニット８０の斜視説明図であり、図２３（ｂ）は、変形例４の反転ユニット８０を備えるプリンタ１００の上部の外観斜視図である。
図２３に示す変形例４の反転ユニット８０は、排紙壁面１２に接触する突き当て面を形成する突き当て部として、反転上カバー８３に反転上カバー突き当て部８３ｋを設けている。この反転上カバー突き当て部８３ｋにおける排紙壁面１２に接触する面が反転上カバー突き当て面８３ｊとなる。さらに、反転上カバー突き当て面８３ｊを挟んで用紙ガイド部８２ｂとは反対側に突き出て装置本体１に対して固定される突出部として、反転上カバー８３に反転上カバー突出部８３ｄを設けている。このような反転上カバー突き当て部８３ｋ及び反転上カバー突出部８３ｄを備えることによって、上述した実施形態の反転ユニット８０と同様に装置本体１に対する組み付け強度を確保する構成である。
【００６６】
また、反転上カバー８３における用紙ガイド部８２ｂを覆う部分の根元に位置する反転上カバー突き当て部８３ｋの反転上カバー突き当て面８３ｊは、用紙ガイド部８２ｂを覆う部分の先端面である反転トレイ下流側端面８２ａよりも高さ方向に長い。そして、図１３及び図１９に示すように、用紙ガイド部８２ｂの用紙幅方向の両端は反転トレイ下流側端面８２ａから突き当て面８２ｄの側ほど高さ方向に長くなる。また、図１９（ｂ）のように装置正面側から見ると用紙ガイド部８２ｂの根元側ほど厚みが大きくなる形状となっている。このような形状により、用紙ガイド部８２ｂに荷重が作用したときの用紙ガイド部８２ｂの撓みを抑制することができる。
【００６７】
変形例４の反転ユニット８０では、変形例１と同様に反転上カバー８３の爪係合部と反転トレイ８２のカバー係合爪とを係合させることで、反転トレイ８２と反転上カバー８３とを一体化する。そして、反転上カバー８３の反転上カバー突き当て面８３ｊを排紙壁面１２に突き当てた状態で反転上カバー突出部８３ｄに設けた反転ユニット固定ネジ穴２６にネジを通し、本体右側上面フレーム２９に対してネジ止めする。これにより、反転ユニット８０を装置本体１に対して固定する。
【００６８】
このような構成により、反転上カバー８３における用紙ガイド部８２ｂを覆う部分に荷重が作用した際に反転ユニット８０が装置本体１に対して変位することを抑制し、装置本体１に対する反転ユニット８０の組み付け強度を確保している。このため、反転上カバー８３における用紙ガイド部８２ｂを覆う部分に荷重が作用することに起因して反転トレイ８２を備える反転ユニット８０が装置本体１から脱落することを防止できる。
【００６９】
変形例１〜変形例４の反転ユニット８０を装置本体１に対して固定する構成として、ネジ止めを用いるものについて説明したが、固定する構成としては、ロックレバーやツメによる固定でもよい。反転ユニット８０を構成する反転トレイ８２と反転上カバー８３とを固定して一体化する構成としては、係合爪を爪係合部に係合させる構成、スナップフィットの凸部と受部とを係合させる構成、係合爪とスナップフィットとの両方を備える構成等がある。さらに、ネジ及びロックレバーなど、反転トレイ８２と反転上カバー８３とを一体化できる構成であれば、どのような組み合わせでも構わない。
【００７０】
図２４は、図１９を用いて説明した実施形態の反転ユニット８０と同様の構成を備える反転ユニット８０を図１９（ａ）とは別方向から見た斜視説明図である。図２４に示す反転ユニット８０は、反転トレイ突出部８２ｃに設けた反転ユニット固定ネジ穴２６が四つある点で、反転ユニット固定ネジ穴２６が二つである図１９に示す反転ユニット８０と異なる。
【００７１】
図２５は、図２４に示す反転ユニット８０に対して、突き当て面８２ｄを排紙壁面１２に固定する突き当て面固定部１５を追加した構成の斜視説明図である。
上述した実施形態の反転ユニット８０は、突き当て面８２ｄが排紙壁面１２と対向し、接触する構成であり、突き当て面８２ｄと排紙壁面１２とを固定する構成を備えていない。
【００７２】
プリンタ１００では、図１９（ｂ）に示すように、反転ユニット８０の用紙ガイド部８２ｂは、排紙トレイ７２の上方に位置する。このため、使用者が排紙トレイ７２から用紙Ｐを取り出そうとしたときに、用紙ガイド部８２ｂの下面に使用者の手が当たり、反転ユニット８０に対して下方から上方に向かう荷重が作用するおそれがある。このとき、突き当て面８２ｄが排紙壁面１２に固定されていないと、突き当て面８２ｄの下端側が排紙壁面１２から浮き上がるように反転ユニット８０が装置本体１に対して移動するおそれがある。反転ユニット８０が装置本体１に対して移動すると、反転ユニット８０の装置本体１に対する固定部を構成する部材が損傷するおそれがある。さらに、反転ユニット８０内で反転中に反転ユニット８０が移動すると、紙詰まりが生じるおそれがある。
【００７３】
これに対して、図２５に示す反転ユニット８０に対して、突き当て面固定部１５によって突き当て面８２ｄと排紙壁面１２とを固定する。このため、反転ユニット８０に下方から上方に向かう荷重が作用したときに反転ユニット８０が浮き上がるように移動することを防止できる。図２５に示す構成では、突き当て面固定部１５として、排紙壁面１２に設けられた爪係合部と係合する引っ掛け爪を設けた構成である。突き当て面固定部１５としてはこれに限らず、ネジや磁石等、爪以外の固定機構を用いる構成であってもよい。
【００７４】
図２６は、図２０を用いて説明した変形例１の反転ユニット８０に、装置本体１の本体後側上面フレーム２１と対向する後側突出部１６を設けた反転ユニット８０の分解斜視図である。
装置本体１への組み付けの際には、変形例１と同様に反転トレイ８２と反転上カバー８３とを一体化した後、反転上カバー８３の反転上カバー突出部８３ｄに設けた反転ユニット固定ネジ穴２６にネジを通し、本体右側上面フレーム２９に対してネジ止めする。このネジ止めによって装置本体１に対して固定された反転ユニット８０における反転上カバー８３の後側突出部１６が本体後側上面フレーム２１に載った状態で重なる構成となっている。
【００７５】
図２７は、図２１を用いて説明した変形例２の反転ユニット８０に、装置本体１の本体後側上面フレーム２１と対向する後側突出部１６を設けた反転ユニット８０の分解斜視図である。
装置本体１への組み付けの際には、変形例２と同様に反転トレイ８２と反転上カバー８３とを一体化した後、反転トレイ８２の反転トレイ突出部８２ｃに設けた反転ユニット固定ネジ穴２６にネジを通し、本体右側上面フレーム２９に対してネジ止めする。このネジ止めによって装置本体１に対して固定された反転ユニット８０における反転トレイ８２の後側突出部１６が本体後側上面フレーム２１に重なる構成となっている。
【００７６】
図２８は、図２２を用いて説明した変形例３の反転ユニット８０に、装置本体１の本体後側上面フレーム２１と対向する後側突出部１６を設けた反転ユニット８０の分解斜視図である。
装置本体１への組み付けの際には、変形例３と同様に反転トレイ８２と反転上カバー８３とを一体化した後、反転トレイ８２の反転トレイ突出部８２ｃに設けた反転ユニット固定ネジ穴２６にネジを通し、本体右側上面フレーム２９に対してネジ止めする。また、反転上カバー８３の反転上カバー突出部８３ｄに設けた反転ユニット固定ネジ穴２６にネジを通し、本体右側上面フレーム２９に対してネジ止めする。これらのネジ止めによって装置本体１に対して固定された反転ユニット８０における反転上カバー８３の後側突出部１６が本体後側上面フレーム２１に重なる構成となっている。
【００７７】
図２６〜図２８に示す反転ユニット８０は、装置本体１のフレームにおける本体右側上面フレーム２９及び本体後側上面フレーム２１の上方に重なるように配置される構成である。また、図２６〜図２８に示す反転ユニット８０は、反転上カバー突出部８３ｄにのみ反転ユニット固定ネジ穴２６を設け、後側突出部１６は単に本体後側上面フレーム２１に重なる配置となっている。図２６〜図２８の反転ユニット８０は、図２０〜図２２の反転ユニット８０の構成に加えて、装置本体１のフレームの上に重なって下方から支持される部分を、反転部２００に対して装置右側だけでなく、反転部２００に対して装置後側にも設ける構成である。これにより、反転ユニット８０の装置本体１に対する組み付け強度の向上を図ることができる。後側突出部１６が重なる部分としては、本体後側上面フレーム２１等のフレーム部分に限らず、装置本体１の外装カバー等、反転ユニット８０の後側突出部１６を下方から支持できるものであればよい。
【００７８】
図２９は、後側突出部１６を備える反転ユニット８０の他の例の分解斜視図である。
図２９に示す反転ユニット８０は、突き当て面８２ｄを挟んで用紙ガイド部８２ｂとは反対側に突き出た突出部として、反転トレイ８２に反転トレイ突出部８２ｃを設け、組み付け強度を確保する構成である。
図２９に示す反転ユニット８０は、反転上カバー８３の爪係合部２７と、反転トレイ８２のカバー係合爪２４とを四箇所ずつ備える。さらに、スナップフィットによって係合を行なう構成として、スナップフィットの係合凸部１３を反転上カバー８３に二箇所備え、係合凸部１３と係合するスナップフィットの係合受部１４を反転トレイ８２に二箇所備える。
【００７９】
図２９に示す反転ユニット８０は、反転トレイ８２の反転トレイ突出部８２ｃに設けた反転ユニット固定ネジ穴２６にネジを通し、本体右側上面フレーム２９に対してネジ止めする。さらに、反転トレイ８２の後側突出部１６に設けた反転ユニット固定ネジ穴２６にネジを通し、本体後側上面フレーム２１に対してネジ止めする。そして、図２９中の破線矢印で示すように、反転上カバー８３の爪係合部２７と反転トレイ８２のカバー係合爪２４とを係合させるとともに、反転上カバー８３の係合凸部１３と反転トレイ８２の係合受部１４とを係合させる。これにより、反転トレイ８２と反転上カバー８３とを一体化し、反転ユニット８０を装置本体１に対して固定する。
【００８０】
図２９に示す反転ユニット８０は、装置本体１のフレームに固定する部分を、反転部２００に対して装置右側だけでなく、反転部２００に対して装置後側にも設ける構成である。また、反転トレイ８２と反転上カバー８３とを一体化するカバー係合爪２４と爪係合部２７とを四つ以上設けた構成である。さらに、装置本体１のフレームに対してネジ固定を行なう反転ユニット固定ネジ穴２６を二箇所以上設けた構成である。このような構成により、反転ユニット８０の強度を向上させるとともに、装置本体１に対する反転ユニット８０の組み付け強度を向上させることができる。
【００８１】
図３０は、上述した実施形態のプリンタ１００の反転ユニット８０と同様の形状の反転ユニット８０を一体成形したプリンタ１００の上部の外観斜視図である。すなわち、実施形態において、反転トレイ８２と反転上カバー８３との複数の部材によって構成された反転ユニット８０を一つの部材で構成したものである。
図３０に示すプリンタ１００が備える反転ユニット８０は、実施形態の反転トレイ８２と同様の構成を備えているため、反転ユニット８０の上面に荷重が作用することに起因して装置本体１から反転トレイ８２が脱落することを防止できる。
【００８２】
図３１は、上述した実施形態のプリンタ１００の反転ユニット８０と反転延長ユニット１８とを合わせた形状と同様の形状の反転ユニット８０を一体成形したプリンタ１００の上部の外観斜視図である。すなわち、実施形態において、反転トレイ８２、反転上カバー８３、反転延長トレイ８４及び反転延長上カバー８５の複数の部材によって構成された反転ユニット８０及び反転延長ユニット１８を一つの部材で構成したものである。
図３１に示すプリンタ１００が備える反転ユニット８０は、実施形態の反転トレイ８２と同様の構成を備えているため、反転ユニット８０の上面に荷重が作用することに起因して装置本体１から反転トレイ８２が脱落することを防止できる。
【００８３】
図３２は、反転ユニット８０の代わりに外付けユニット３００を取り付けた実施形態のプリンタ１００の上部の外観斜視図である。外付けユニット３００は、外付けユニット反転用紙支持トレイ３０１と、外付けユニット排紙トレイ３０２とを備える。
上述したように、反転ユニット８０を装置本体１に対して固定する反転ユニット固定ネジ２８は、装置本体１のフレームの上面に反転ユニット８０を固定するものである。そして、本体右側上カバー２３を取り外すことにより、反転ユニット固定ネジ２８は露出し、容易に固定を解除することができる。このため、実施形態のプリンタ１００では、反転ユニット８０を取り外して外付けユニット３００等の他のユニットを付け替える作業が容易となっている。
【００８４】
図３３は、実施形態の反転ユニット８０が備える反転上カバー８３のカバー固定部８３ａの説明図である。図３３（ａ）は、カバー固定部８３ａを斜め下方から見た斜視説明図であり、図３３（ｂ）は、図３３（ａ）中のＡ−Ａ断面における断面を示したカバー固定部８３ａの先端近傍の断面斜視図である。
図３３（ｂ）に示すように、カバー固定部８３ａの先端側は、上面の先端を折り曲げるような形状とすることで、反転上カバー下流側端面８３ｃを形成している。このように折り曲げる形状とすることで、剛性の向上を図ることができる。
【００８５】
さらに、図３３（ｂ）に示すように、反転上カバー８３のカバー固定部８３ａは、反転経路内での用紙Ｐの搬送方向に沿って延在する縦リブ８３ｆを用紙幅方向に複数備え、カバー固定部８３ａの先端側の剛性を確保する構成となっている。
縦リブ８３ｆでカバー固定部８３ａを補強することで、反転上カバー８３の上面に荷重が加えられたときに反転上カバー８３に撓みが生じることを抑制できる。これにより、反転上カバー８３の撓みに起因して反転経路内で紙詰まりが生じることを抑制できる。
縦リブ８３ｆとしては樹脂成形によってカバー固定部８３ａに設けているが、樹脂製の別部品や金属板材で構成してもよい。
【００８６】
図３３（ａ）に示すように、カバー固定部８３ａの中央部は、開口部８３ｅとなっている。これは、カバー開閉部８３ｂを取り付けるための開口である。
また、図１３及び図３３（ａ）に示すように、反転上カバー８３のカバー固定部８３ａは、先端側に対して根元側ほど高さ方向の長さ（厚み）が大きくなる構成となっている。このような形状により、反転上カバー８３の剛性の向上を図ることができ、反転上カバー８３の上面に荷重が作用したときに反転上カバー８３が撓むことを抑制できる。これにより、反転上カバー８３が撓むことに起因して反転経路が狭まり、紙詰まりが生じる不具合の発生を抑制できる。
また、反転上カバー８３の上面に作用する荷重を反転上カバー８３で支持することにより、反転トレイ８２に作用する荷重を低減し、反転トレイ８２が装置本体１から脱落することや、反転トレイ８２が撓むことを抑制できる。
【００８７】
図３４は、実施形態の反転ユニット８０が備える反転上カバー８３のカバー開閉部８３ｂの説明図である。図３４（ａ）は、カバー開閉部８３ｂを斜め下方から見た斜視説明図であり、図３４（ｂ）は、図３４（ａ）中のＢ−Ｂ断面における断面を示したカバー開閉部８３ｂの断面図である。図３４（ｂ）中の「α」は、カバー開閉部８３ｂを有する反転上カバー８３を備えた反転ユニット８０を装置本体１に取り付けたときの用紙搬送方向を示す。
【００８８】
図３４に示すように、反転上カバー８３のカバー開閉部８３ｂは、反転経路内での用紙Ｐの搬送方向に沿って延在する通紙リブ８３ｇを用紙幅方向に複数備える。さらに、カバー開閉部８３ｂは、用紙Ｐの搬送方向に直交する用紙幅方向に沿って延在する交差リブ８３ｈを備える用紙搬送方向に複数備える。これらのリブを備えることで、カバー開閉部８３ｂの剛性を確保する構成となっている。
図３４に示すように、通紙リブ８３ｇが交差リブ８３ｈよりも下方に突出していることで、強度の確保と用紙Ｐの引っかかりの防止とを両立することができる。
図３４に示すカバー開閉部８３ｂの上面は平面状となっているが、中央部が最上部となるようなシェル構造とすることでカバー開閉部８３ｂの強度の向上を図ることができる。
【００８９】
図３５は、反転トレイ突出部８２ｃを装置本体１に対して固定する固定手段の変形例の構成を備えたプリンタ１００の右上部の概略説明図である。
図３５に示すプリンタ１００は、用紙ガイド部８２ｂに荷重が作用した際に反転トレイ８２が装置本体１に対して変位することを抑制する構成として、装置本体１に反転トレイ突出部８２ｃを挿入する挿入口１ｂを設けている。
【００９０】
図３５に示すように、反転トレイ突出部８２ｃを挿入口１ｂに挿入すると、反転トレイ突出部８２ｃの上下方向の移動を規制できる。
上述した実施形態と同様に、用紙ガイド部８２ｂに荷重が加わり、突き当て面８２ｄが排紙壁面１２に突き当たる状態では、突き当て面８２ｄの下端を中心に突き当て面８２ｄの上端が図３５中の左方向に移動するようなモーメントが作用する。
このモーメントによって、反転トレイ突出部８２ｃの先端（図３５中の右端）に対して、突き当て面８２ｄの下端を中心に図３５中における反時計回り方向に回転しようとする力が作用する。この力によって反転トレイ突出部８２ｃの先端は上方に移動しようとするが、挿入口１ｂによって上下方向の移動が規制され、上記モーメントの作用によって反転ユニット８０が移動することを抑制できる。
【００９１】
このような構成により、図３５に示すプリンタ１００では、用紙ガイド部８２ｂに荷重が作用した際に反転トレイ８２が装置本体１に対して変位することを抑制し、装置本体１に対する反転トレイ８２の組み付け強度を確保している。これにより、用紙ガイド部８２ｂに荷重が作用することに起因して装置本体１から反転トレイ８２が脱落することを防止できる。
また、反転トレイ突出部８２ｃが挿入口１ｂに対して図３５中の左右方向に移動することを防止する左右方向の移動防止手段の構成としては、反転トレイ突出部８２ｃを挿入口１ｂに対して圧入する構成が考えられる。左右方向の移動防止手段としては、これに限るものではなく、スナップフィットによる固定やネジ締結等、装置本体１に対して反転ユニット８０が図３５中の左右方向に移動することを防止できる構成であればよい。
【００９２】
図３６は、図３５で説明した固定手段の変形例と同様の構成の固定手段を備えたプリンタ１００の他の例の説明図である。図３６（ａ）は、プリンタ１００の右上部の概略段面図であり、図３６（ｂ）は、プリンタ１００の外観斜視図である。
図３６に示すプリンタ１００は、装置本体１に設けた挿入口１ｂに挿入する反転ユニット８０における突出部として、反転上カバー８３に反転上カバー突出部８３ｄを設けている点で図３５のプリンタ１００と異なる。
【００９３】
図３６（ａ）に示すように、反転上カバー突出部８３ｄを挿入口１ｂに挿入すると、反転トレイ突出部８２ｃの上下方向の移動を規制できる。
反転上カバー８３を介して用紙ガイド部８２ｂに荷重が加わり、突き当て面８２ｄが排紙壁面１２に突き当たる状態では、突き当て面８２ｄの下端を中心に突き当て面８２ｄの上端が図３６（ａ）中の左方向に移動するようなモーメントが作用する。
図３６に示すプリンタ１００では、挿入口１ｂに反転上カバー突出部８３ｄを挿入することで、図３５に示すプリンタ１００と同様に上記モーメントの作用によって反転ユニット８０が移動することを抑制できる。これにより、用紙ガイド部８２ｂに荷重が作用することに起因して装置本体１から反転トレイ８２が脱落することを防止できる。
また、反転トレイ突出部８２ｃが挿入口１ｂに対して図３６（ａ）中の左右方向に移動することを防止する左右方向の移動防止手段の構成としては、図３５のプリンタ１００と同様の構成を用いることができる。
【００９４】
次に、図３７〜図４４を用いて実施形態と同様に装置本体１から反転トレイ８２が脱落することを防止できる構成を備えたプリンタ１００の複数の変形例について説明する。
【００９５】
図３７に示すプリンタ１００は、反転ユニット８０を固定するための柱状の反転ユニット支持部材９５を装置本体１の左側端部の二つの角に設けた構成である。この構成により、胴内排紙部である排紙部７０における前方、後方及び左方の三方を開口させることできる。このため、胴内排紙部からの取り出し方向を、プリンタ１００における、前方、後方及び左方の三方に設定することができる。
【００９６】
図３８に示すプリンタ１００は、反転ユニット８０を固定するための壁状の反転ユニット支持部材９５を装置本体１の左側端部に設けた構成である。この構成により、胴内排紙部である排紙部７０における前方及び後方の二方を開口させることできる。このため、胴内排紙部からの取り出し方向を、プリンタ１００における、前方及び後方の二方に設定することができる。
図３７及び図３８に示すプリンタ１００では、反転ユニット８０の下流側端部を支持することで、用紙ガイド部８２ｂに荷重が加わった際に用紙ガイド部８２ｂの根元に作用するモーメントを軽減できる。これにより、反転トレイ８２を備える反転ユニット８０の脱落を抑制することができる。
【００９７】
図３９に示すプリンタ１００は、反転ユニット８０が、排紙部７０の上方の一部を覆う構成で、反転ユニット８０の上面が装置本体１の上面よりも上方に突出した構成である。また、図４０に示すプリンタ１００は、反転ユニット８０が、排紙部７０の上方の全体を覆う構成で、反転ユニット８０の上面が装置本体１の上面よりも上方に突出した構成である。
【００９８】
図４１に示すプリンタ１００は、反転ユニット８０が、排紙部７０の上方の一部を覆う構成で、反転ユニット８０の上面が装置本体１の上面よりも下方の凹んだ構成である。また、図４２に示すプリンタ１００は、反転ユニット８０が、排紙部７０の上方の全体を覆う構成で、反転ユニット８０の上面が装置本体１の上面よりも下方に凹んだ構成である。
【００９９】
図３９〜図４２に示すプリンタ１００では、反転ユニット８０の上面と装置本体１の上面との間に段差がある。これに対して、実施形態のプリンタ１００は、図３及び図６に示すように、反転ユニット８０の上面と装置本体１の上面との間に段差がなく、平坦となり、物品を積載可能な連続的な平面として面積の大きな平面を確保することができる。
【０１００】
図４３に示すプリンタ１００は、反転ユニット８０が、排紙部７０の上方の一部を覆う構成で、反転する用紙Ｐの下面を支持する反転トレイ８２が薄板からなり、反転上カバー８３によって反転ユニット８０の剛性を確保した構成である。図４４に示すプリンタ１００は、反転ユニット８０が、排紙部７０の上方の全体を覆う構成で、反転する用紙Ｐの下面を支持する反転トレイ８２が薄板からなり、反転上カバー８３によって反転ユニット８０の剛性を確保した構成である。
【０１０１】
図４３及び図４４に示すプリンタ１００では、反転トレイ８２は根元側が排紙壁面１２に固定され、先端側がトレイ吊り下げ部材９６によって反転上カバー８３に固定されている。これらのプリンタ１００では、反転上カバー８３が、反転トレイ８２の反転排紙口５側の端部で上下方向に延在し、排紙壁面１２に接触する突き当て面を形成する突き当て部を有する。さらに、反転上カバー８３が、突き当て面を挟んで反転トレイ８２における用紙Ｐの下面を支持する部分とは反対に突き出た突出部を有する。そして、反転上カバー８３の突出部を装置本体１に固定する固定手段を備える。このような構成により、反転上カバー８３の剛性を確保することができ、反転ユニット８０の上面に荷重が作用することに起因して装置本体１から反転ユニット８０が脱落することを防止できる。
【０１０２】
以上に説明したものは一例であり、次の態様毎に特有の効果を奏する。
【０１０３】
（態様Ａ）
装置本体１等の装置本体の排紙壁面１２等の壁面に設けられた反転排紙口５等のシート出口から送り出された用紙Ｐ等のシートの搬送方向を反転させて装置本体に搬送する反転ローラ対８１等のシート反転手段と、壁面から突き出し、シート出口から送り出されたシートの下面を支持する用紙ガイド部８２ｂ等のシート支持部を有する反転トレイ８２等のシート支持部材と、を備えるプリンタ１００等の画像形成装置において、シート支持部の上方に位置し、シート支持部との間に反転するシートが通過する反転経路等の反転搬送路を形成する反転上カバー８３等のカバー部材を備え、シート支持部材またはカバー部材の少なくとも一方が、壁面に接触する突き当て面８２ｄまたは反転上カバー突き当て面８３ｊ等の突き当て面を有する突き当て部８２ｅまたは反転上カバー突き当て部８３ｋ等の突き当て部を有し、シート支持部材またはカバー部材の少なくとも一方が、突き当て面を挟んでシート支持部とは反対側に突き出し、反転ユニット固定ネジ穴２６等の固定手段によって装置本体に固定される反転トレイ突出部８２ｃまたは反転上カバー突出部８３ｄ等の突出部を有する。
これによれば、上記実施形態及び上記変形例１〜４について説明したように、シート支持部に荷重が作用することに起因して装置本体からシート支持部材が脱落することを防止できる。これは以下の理由による。
すなわち、カバー部材の上面に荷重が加わると、シート支持部の根元を中心にシート支持部の先端が下がるように回転する方向のモーメントがシート支持部材に作用するが、態様Ａの構成では、突き当て面が装置本体の壁面に突き当たる。これにより、シート支持部の根元を中心にシート支持部材及びカバー部材が回転することを防止できる。また、シート支持部材及びカバー部材において、カバー部材の上面に荷重が加わり、突き当て面が装置本体の壁面に突き当たる状態では、次のようなモーメントが作用する。すなわち、突き当て部の下端を中心に突き当て部の上端がシート支持部の先端側に移動するようなモーメントが作用する。態様Ａの画像形成装置では、突出部を固定手段によって装置本体に固定しているため、突出部の根元に位置する突き当て部の上端がシート支持部の先端側に移動することを防止できる。
このような構成により、カバー部材の上面に荷重が作用した際にシート支持部材及びカバー部材が装置本体に対して変位することを抑制し、装置本体に対するシート支持部材及びカバー部材の組み付け強度を確保している。これにより、カバー部材の上面に荷重が作用することに起因してシート支持部材及びカバー部材が装置本体から脱落することを防止できる。
【０１０４】
（態様Ｂ）
装置本体１等の装置本体の排紙壁面１２等の壁面に設けられた反転排紙口５等のシート出口から送り出された用紙Ｐ等のシートの搬送方向を反転させて装置本体に搬送する反転ローラ対８１等のシート反転手段と、シート出口から送り出されたシートの下面を支持する用紙ガイド部８２ｂ等のシート支持部と装置本体へのトレイ取り付け部８２ｆ等の取り付け部とを有する反転トレイ８２等のシート支持部材と、を備えるプリンタ１００等の画像形成装置において、取り付け部は、壁面に接触する突き当て面８２ｄ等の突き当て面を有する突き当て部８２ｅと、突き当て面を挟んでシート支持部とは反対側に突き出し、反転ユニット固定ネジ２８等の固定手段によって装置本体に固定される反転トレイ突出部８２ｃ等の突出部と、を有する。
これによれば、上記実施形態について説明したように、シート支持部に荷重が作用することに起因して装置本体からシート支持部材が脱落することを防止できる。これは以下の理由による。
すなわち、シート支持部に荷重が加わると、シート支持部の根元を中心にシート支持部の先端が下がるように回転する方向のモーメントがシート支持部材に作用するが、態様Ａの構成では、突き当て面が装置本体の壁面に突き当たる。これにより、シート支持部の根元を中心にシート支持部材が回転することを防止できる。また、シート支持部材において、シート支持部に荷重が加わり、突き当て面が装置本体の壁面に突き当たる状態では、次のようなモーメントが作用する。すなわち、突き当て部の下端を中心に突き当て部の上端がシート支持部の先端側に移動するようなモーメントが作用する。態様Ａの画像形成装置では、シート支持部材の突出部を固定手段によって装置本体に固定しているため、突出部の根元となる突き当て部の上端がシート支持部の先端側に移動することを防止できる。
このような構成により、シート支持部に荷重が作用した際にシート支持部材が装置本体に対して変位することを抑制し、装置本体に対するシート支持部材の組み付け強度を確保している。これにより、シート支持部に荷重が作用することに起因して装置本体からシート支持部材が脱落することを防止できる。
【０１０５】
（態様Ｃ）
態様Ｂにおいて、用紙ガイド部８２ｂ等のシート支持部の上方に位置し、シート支持部との間に反転する用紙Ｐ等のシートが通過する反転経路等の反転搬送路を形成する反転上カバー８３等のカバー部材を備える。
これによれば、上記実施形態について説明したように、カバー部材によって、反転中のシートに使用者等の手が触れることを抑制できる。また、カバー部材に荷重が作用し、カバー部材を介してシート支持部材に荷重が作用してもシート支持部材が装置本体に対して変位することを抑制できる。このため、カバー部材に荷重が作用することに起因して装置本体からシート支持部材及びカバー部材が脱落することを防止できる。
【０１０６】
（態様Ｄ）
態様ＡまたはＣの態様において、反転上カバー８３等のカバー部材の下面に、用紙Ｐ等のシートの搬送方向に沿う方向に延在する通紙リブ８３ｇ等の第一リブ群と、第一リブ群に交差するように延在する交差リブ８３ｈ等の第二リブ群とを備え、第一リブ群は、第二リブ群よりも下方に突出している。
これによれば、上記実施形態について説明したように、カバー部材の強度を確保しつつ、紙詰まり等のシート詰まりが生じることを抑制できる。
【０１０７】
（態様Ｅ）
態様Ａ、ＣまたはＤの何れかの態様において、反転トレイ８２及び反転延長トレイ８４等のシート支持部材または反転上カバー８３及び反転延長上カバー８５等のカバー部材の少なくとも一方における、反転排紙口５等のシート出口から送り出される用紙Ｐ等のシートの排出方向の下流側端部は、シート支持部材の上を搬送され得る最大長さのシート（Ａ３サイズやＤＬＴサイズの用紙Ｐ等）の先端が最も排出方向下流側に到達する位置よりもさらに排出方向下流側に位置する。
これによれば、上記実施形態の反転延長ユニット１８を配置した構成について説明したように、シート支持部材が最大長さのシートの下流側端部を保持し、反転するシートの垂れ下がりを防止できる。また、カバー部材が最大長さのシートの下流側端部を覆うことで、反転するシートの全体を保護することが可能となる。上記実施形態は、シート支持部材とカバー部材との両方の排出方向の下流側端部が、最大長さのシートの先端が最も排出方向下流側に到達する位置よりもさらに排出方向下流側に位置する構成である。しかし、シート支持部材とカバー部材との一方のみがシートの先端が最も排出方向下流側に到達する位置よりもさらに排出方向下流側に位置する構成であってもよい。
【０１０８】
（態様Ｆ）
態様Ａ、ＣまたはＤの何れかの態様において、反転トレイ８２等のシート支持部材及び反転上カバー８３等のカバー部材における、反転排紙口５等のシート出口から送り出される用紙Ｐ等のシートの排出方向の下流側端部（反転トレイ下流側端面８２ａ及び反転上カバー下流側端面８３ｃ等）は、シート支持部材の上を搬送され得る最大長さのシートの先端が最も排出方向下流側に到達する位置よりも排出方向上流側に位置する。
これによれば、上記実施形態の反転延長ユニット１８を取り外した構成について説明したように、排紙トレイ７２等のシート支持部材の下方に位置する部分の上方を遮蔽する面積が減少し、当該部分の視認性及び当該部分での操作性が向上する。
【０１０９】
（態様Ｇ）
態様Ａ、Ｃ乃至Ｆの何れかの態様において、反転トレイ８２及び反転延長トレイ８４等のシート支持部材または反転上カバー８３及び反転延長上カバー８５等のカバー部材の少なくとも一方は、反転排紙口５等のシート出口から送り出されるシートの排出方向の下流側の部分（反転延長ユニット１８等）が上流側の部分（反転ユニット８０等）に対して分割して着脱可能である。
これによれば、上記実施形態について説明したように、シート支持部材やカバー部材の剛性を高めることができ、カバー部材の上面からの荷重に対してシート支持部材やカバー部材が変形することを抑制することができる。
【０１１０】
（態様Ｈ）
態様Ａ、Ｃ乃至Ｇの何れかの態様において、反転上カバー８３等のカバー部材の先端近傍の下面に縦リブ８３ｆ等のリブを備える。
これによれば、上記実施形態について説明したように、カバー部材の先端側の剛性を確保することができる。このため、カバー部材の上面への物品積載時等の荷重が作用したときに、カバー部材の変形を抑制し、反転経路等の反転搬送路での紙詰まり等のシート詰まりを抑制することができる。
【０１１１】
（態様Ｉ）
態様Ａ、Ｃ乃至Ｈの何れかの態様において、反転上カバー８３等のカバー部材の上面の少なくとも一部を開放するカバー開閉部８３ｂ等のカバー開閉部を備える。
これによれば、上記実施形態について説明したように、反転経路等の反転搬送路内に詰まった用紙Ｐ等のシートの除去し易さを確保できる。
【０１１２】
（態様Ｊ）
態様Ａ、Ｃ乃至Ｉの何れかの態様において、反転トレイ８２等のシート支持部材に対して反転上カバー８３等のカバー部材を固定するカバー係合爪２４及び爪係合部等のカバー部材固定手段を備える。
これによれば、上記実施形態について説明したように、シート支持部材とカバー部材とを一体化することができる。これらが一体化する構成であれば、根元側端面や突出部をカバー部材が備える構成であっても、カバー部材の上面に荷重が作用することに起因してシート支持部材及びカバー部材が装置本体１等の装置本体から脱落することを防止できる。また、シート支持部材とカバー部材とを一体化することで、装置本体に対するこれらの部品の着脱交換が容易になる。
【０１１３】
（態様Ｋ）
態様Ａ、Ｃ乃至Ｊの何れかの態様において、反転上カバー８３等のカバー部材の上面と、装置本体１等の装置本体の上面とが同じ高さに位置する。
これによれば、上記実施形態について説明したように、物品を積載可能な連続的な平面として面積の大きな平面を確保することができる。
【０１１４】
（態様Ｌ）
装置本体１等の装置本体の排紙壁面１２等の壁面に設けられた反転排紙口５等のシート出口から送り出された用紙Ｐ等のシートの搬送方向を反転させて装置本体に搬送する反転ローラ対８１等のシート反転手段と、壁面から突き出し、シート出口から送り出されたシートの下面を支持する用紙ガイド部８２ｂ等のシート支持部を有する反転ユニット８０等のシート支持部材と、を備えるプリンタ１００等の画像形成装置において、シート支持部材は、シート支持部の上方に位置し、シート支持部との間に反転するシートが通過する反転経路等の反転搬送路を形成するカバー部も形成しており、シート支持部材は、壁面に接触する突き当て面を形成する突き当て部と、突き当て面を挟んでシート支持部とは反対側に突き出し、固定手段によって装置本体に固定される突出部と、を有する。
これによれば、図３１及び図３２に係る構成で説明したように、装置本体に対するシート支持部材の組み付け強度を確保している。これにより、カバー部の上面に荷重が作用することに起因してシート支持部材が装置本体から脱落することを防止できる。
【０１１５】
（態様Ｍ）
態様Ａ乃至Ｌの何れかの態様において、反転トレイ８２等のシート支持部材または反転上カバー８３等のカバー部材の少なくとも一方は、反転排紙口５等のシート出口から送り出される用紙Ｐ等のシートの排出方向の下流側端部となる反転トレイ下流側端面８２ａまたは反転上カバー下流側端面８３ｃ等の先端よりも、排出方向の上流側端部となる突き当て面８２ｄ等の根元の方が厚くなる形状を有する。
これによれば、上記実施形態について説明したように、用紙ガイド部８２ｂ等のシート支持部またはカバー部材の上面に荷重が作用したときのシート支持部の撓みを抑制することができる。
また、態様Ｍの上記形状をカバー部材が有する構成では、上記実施形態について説明したように、カバー部材の上面に荷重が作用したときにカバー部材が撓むことを抑制できる。これにより、カバー部材が撓むことに起因して反転搬送路が狭まり、紙詰まり等のシート詰まりが生じる不具合の発生を抑制できる。
また、態様Ｍの上記形状をカバー部材が有する構成では、カバー部材の剛性を高めることにより、カバー部材の上面に荷重が作用した際に、シート支持部材におけるシート支持部に対する負荷の軽減を図ることができる。このため、図４３や図４４に示す構成のように、シート支持部材がカバー部材よりも薄い構造としても、カバー部材の上面に荷重が作用することに起因してシート支持部材及びカバー部材が装置本体から脱落することを防止できる。
【０１１６】
（態様Ｎ）
態様Ａ乃至Ｍの何れかの態様において、反転トレイ突出部８２ｃ等の突出部は、反転排紙口５等のシート出口から送り出される用紙Ｐ等のシートの排出方向で突き当て面８２ｄ等の突き当て面の上流側に位置する装置本体１等の装置本体の構造体である本体右側上面フレーム２９等の排出方向上流側構造体の上面に重なった状態で、反転ユニット固定ネジ２８等の固定手段によって排出方向上流側構造体に固定される。
これによれば、上記実施形態について説明したように、反転トレイ８２等のシート支持部材を装置本体に対して固定する構成を実現できる。
【０１１７】
（態様Ｏ）
態様Ａ乃至Ｎの何れかの態様において、突き当て面８２ｄ等の突き当て面と排紙壁面１２等の壁面とを固定する突き当て面固定部１５等の突き当て面固定手段を備える。
これによれば、上記実施形態について説明したように、反転トレイ８２等のシート支持部材が浮き上がるように移動することを防止できる。
【０１１８】
（態様Ｐ）
態様Ａ乃至Ｏの何れかの態様において、用紙ガイド部８２ｂ等のシート支持部に対して搬送方向に直交する幅方向（用紙幅方向等）の少なくとも一方の外側に位置する本体後側上面フレーム２１等の装置本体部分を備え、反転トレイ８２等のシート支持部材または反転上カバー８３等のカバー部材の少なくとも一方は、シート支持部に対して幅方向の外側に突出して装置本体部分に載っている後側突出部１６等の幅方向突出部を備える。
これによれば、図３７及び図３８に示す構成で説明したように、幅方向突出部が装置本体部分に載ることで下方から支持され、反転ユニット８０が備える反転トレイ８２等のシート支持部材の装置本体に対する組み付け強度の向上を図ることができる。
【０１１９】
（態様Ｑ）
態様Ａ乃至Ｐの何れかの態様において、反転排紙口５等のシート出口から送り出される用紙Ｐ等のシートの排出方向における用紙ガイド部８２ｂ等のシート支持部の下流側端部を支持する柱状または壁状の反転ユニット支持部材９５等のシート支持部支持手段を備える。
これによれば、図３７及び図３８に示す構成で説明したように、シート支持部の根元に作用するモーメントを軽減し、反転トレイ８２等のシート支持部材の脱落を抑制することができる。
【符号の説明】
【０１２０】
１  装置本体
１ａ  排紙部右側板
１ｂ  挿入口
２  操作パネル
３  増設給紙トレイ
４  画像形成部
５  反転排紙口
６  積載排紙口
７Ｂｋ  ブラック用現像装置
８Ｂｋ  ブラック用帯電装置
９  露光装置
１０Ｂｋ  ブラック用感光体
１０  感光体
１１Ｂｋ  ブラック用クリーニング装置
１２  排紙壁面
１３  係合凸部
１４  係合受部
１５  突き当て面固定部
１６  後側突出部
１８  反転延長ユニット
２０Ｂｋ  ブラック用一次転写ローラ
２１  本体後側上面フレーム
２２  本体前側ブラケット
２３  本体右側上カバー
２４  カバー係合爪
２５  中間転写ベルト
２６  反転ユニット固定ネジ穴
２７  爪係合部
２８  反転ユニット固定ネジ
２９  本体右側上面フレーム
３０  二次転写装置
３１  駆動ローラ
３２  二次転写ローラ
３３  従動ローラ
３４  テンションローラ
４０  給紙搬送装置
４１  給紙ローラ
４２  搬送ローラ対
４３  レジストローラ対
５０  定着装置
５１  定着ローラ
５２  加熱ローラ
６０  切り替え爪
７０  排紙部
７１  排紙ローラ対
７２  排紙トレイ
８０  反転ユニット
８１  反転ローラ対
８２  反転トレイ
８２ａ  反転トレイ下流側端面
８２ｂ  用紙ガイド部
８２ｃ  反転トレイ突出部
８２ｄ  突き当て面
８２ｅ  突き当て部
８２ｆ  トレイ取り付け部
８３  反転上カバー
８３ａ  カバー固定部
８３ｂ  カバー開閉部
８３ｃ  反転上カバー下流側端面
８３ｄ  反転上カバー突出部
８３ｅ  開口部
８３ｆ  縦リブ
８３ｇ  通紙リブ
８３ｈ  交差リブ
８３ｊ  反転上カバー突き当て面
８３ｋ  反転上カバー突き当て部
８４  反転延長トレイ
８５  反転延長上カバー
８５ａ  位置決め凸部
８５ｂ  操作窓
８６  反転係合部材
８６ａ  フック形状部
８７  被係合部材
８７ａ  引っ掛け孔
８７ｂ  貫通孔
８８  摺動部材
８９  位置決め部材
８９ａ  ロックレバー
９０  再給紙経路部
９５  反転ユニット支持部材
９６  トレイ吊り下げ部材
１００  プリンタ
２００  反転部
３００  ユニット
３０１  ユニット反転用紙支持トレイ
３０２  ユニット排紙トレイ
４００  給紙カセット
Ｐ  用紙
【先行技術文献】
【特許文献】
【０１２１】
【特許文献１】特許第４８９０８９６号公報
【図１】
2018043880.tif 000003
【図２】
2018043880.tif 000004
【図３】
2018043880.tif 000005
【図４】
2018043880.tif 000006
【図５】
2018043880.tif 000007
【図６】
2018043880.tif 000008
【図７】
2018043880.tif 000009
【図８】
2018043880.tif 000010
【図９】
2018043880.tif 000011
【図１０】
2018043880.tif 000012
【図１１】
2018043880.tif 000013
【図１２】
2018043880.tif 000014
【図１３】
2018043880.tif 000015
【図１４】
2018043880.tif 000016
【図１５】
2018043880.tif 000017
【図１６】
2018043880.tif 000018
【図１７】
2018043880.tif 000019
【図１８】
2018043880.tif 000020
【図１９】
2018043880.tif 000021
【図２０】
2018043880.tif 000022
【図２１】
2018043880.tif 000023
【図２２】
2018043880.tif 000024
【図２３】
2018043880.tif 000025
【図２４】
2018043880.tif 000026
【図２５】
2018043880.tif 000027
【図２６】
2018043880.tif 000028
【図２７】
2018043880.tif 000029
【図２８】
2018043880.tif 000030
【図２９】
2018043880.tif 000031
【図３０】
2018043880.tif 000032
【図３１】
2018043880.tif 000033
【図３２】
2018043880.tif 000034
【図３３】
2018043880.tif 000035
【図３４】
2018043880.tif 000036
【図３５】
2018043880.tif 000037
【図３６】
2018043880.tif 000038
【図３７】
2018043880.tif 000039
【図３８】
2018043880.tif 000040
【図３９】
2018043880.tif 000041
【図４０】
2018043880.tif 000042
【図４１】
2018043880.tif 000043
【図４２】
2018043880.tif 000044
【図４３】
2018043880.tif 000045
【図４４】
2018043880.tif 000046
【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
装置本体の壁面に設けられたシート出口から送り出されたシートを支持するシート支持部を有するシート支持部材を備える画像形成装置において、
前記シート支持部材を前記装置本体へ取り付ける取り付け部は、前記装置本体の壁面に接触する突き当て面を形成する突き当て部と、
前記突き当て面を挟んで前記シート支持部とは反対側に突き出し、固定手段によって前記装置本体に固定される突出部とを有し、
前記突き当て面は前記突出部に対して下方に延在している面であり、前記固定手段は前記突出部を上方から固定していることを特徴とする画像形成装置。
【請求項２】
請求項１の画像形成装置において、
前記突出部は、前記装置本体の構造体の上面に固定されていることを特徴とする画像形成装置。
【請求項３】
請求項１または２に記載の画像形成装置において、
前記突出部は、前記シートの送り出し方向と直交する方向に延在する板形状であることを特徴とする画像形成装置。
【請求項４】
請求項２に記載の画像形成装置において、
前記固定手段はネジであり、
前記突出部が前記構造体の上面に対してネジで固定されていることを特徴とする画像形成装置。
【請求項５】
請求項１乃至４の何れか一に記載の画像形成装置において、
前記突き当て面は、前記シート支持部材における前記シートの送り出し方向の下流側端部となる先端面よりも上下方向において長いことを特徴とする画像形成装置。
【請求項６】
請求項１乃至５の何れか一に記載の画像形成装置において、
前記シート支持部の上方を覆うカバー部材を備えることを特徴とする画像形成装置。
【請求項７】
請求項６に記載の画像形成装置において、
前記シート支持部材に対して前記カバー部材を固定するカバー部材固定手段を備えることを特徴とする画像形成装置。
【請求項８】
請求項６または７の画像形成装置において、
前記カバー部材の下面における前記シートの送り出し方向の下流側端部に、リブを備えることを特徴とする画像形成装置。
【請求項９】
請求項６乃至８の何れか一に記載の画像形成装置において、
前記カバー部材の下面に、前記シートの送り出し方向に沿う方向に延在する第一リブ群と、前記第一リブ群に交差するように延在する第二リブ群とを備え、
前記第一リブ群は、前記第二リブ群よりも下方に突出していることを特徴とする画像形成装置。
【請求項１０】
請求項６乃至９の何れか一に記載の画像形成装置において、
前記シート支持部材における前記シートの送り出し方向の下流側端部は、
前記シート支持部の上を搬送され得る最大長さの前記シートの先端が最も送り出し方向下流側に到達する位置よりもさらに送り出し方向下流側に位置することを特徴とする画像形成装置。
【請求項１１】
請求項６乃至１０の何れか一に記載の画像形成装置において、
前記シート支持部材または前記カバー部材の少なくとも一方は、前記シートの送り出し方向の下流側の部分が上流側の部分に対して分割して着脱可能であることを特徴とする画像形成装置。
【請求項１２】
請求項６乃至１１の何れか一に記載の画像形成装置において、
前記カバー部材は開閉可能なカバー開閉部を備えることを特徴とする画像形成装置。
【請求項１３】
請求項６乃至１２の何れか一に記載の画像形成装置において、
前記カバー部材の上面と、前記装置本体の上面とが同じ高さに位置することを特徴とする画像形成装置。
【請求項１４】
請求項６乃至１３の何れか一に記載の画像形成装置において、
前記装置本体は、前記シート支持部に対して、前記シートの送り出し方向に直交する幅方向の少なくとも一方の外側に位置する構造体部分を備え、
前記シート支持部材または前記カバー部材の少なくとも一方は、前記シート支持部に対して前記幅方向の外側に突出し、前記構造体部分に載っている幅方向突出部を備えることを特徴とする画像形成装置。
【請求項１５】
請求項６乃至１４の何れか一に記載の画像形成装置において、
前記シート出口から送り出された前記シートの搬送方向を反転させて前記装置本体に搬送するシート反転手段を有し、
前記シート支持部と前記カバー部材との間を反転する前記シートが通過することを特徴とする画像形成装置。
【請求項１６】
請求項１乃至１５の何れか一に記載の画像形成装置において、
前記突き当て面と、前記突き当て面が接触する前記装置本体の壁面とを固定する突き当て面固定手段を備えることを特徴とする画像形成装置。
【請求項１７】
請求項１乃至１６の何れか一に記載の画像形成装置において、
前記シートの送り出し方向における前記シート支持部の下流側端部を支持する柱状または壁状のシート支持部支持手段を備えることを特徴とする画像形成装置。
【手続補正２】
【補正対象書類名】明細書
【補正対象項目名】０００５
【補正方法】変更
【補正の内容】
【０００５】
上述した課題を解決するために、本発明は、装置本体の壁面に設けられたシート出口から送り出されたシートを支持するシート支持部を有するシート支持部材を備える画像形成装置において、前記シート支持部材を前記装置本体へ取り付ける取り付け部は、前記装置本体の壁面に接触する突き当て面を形成する突き当て部と、前記突き当て面を挟んで前記シート支持部とは反対側に突き出し、固定手段によって前記装置本体に固定される突出部とを有し、前記突き当て面は前記突出部に対して下方に延在している面であり、前記固定手段は前記突出部を上方から固定していることを特徴とするものである。
【手続補正３】
【補正対象書類名】明細書
【補正対象項目名】００３９
【補正方法】変更
【補正の内容】
【００３９】
図１４は、反転上カバー８３のカバー固定部８３ａを反転トレイ８２に、固定した状態の斜視説明図である。図１３及び図１４に示すように、反転トレイ８２の上面には四つのカバー係合爪２４を備え、カバー固定部８３ａの下面に設けられた四つの爪係合部２７と係合することで、反転トレイ８２とカバー固定部８３ａとが固定される。図１４では、手前側の符号「２４」の破線で示す引き出し線の端部におけるカバー固定部８３ａの下方に反転トレイ８２における手前側の二つのカバー係合爪２４が設けられている。
【手続補正４】
【補正対象書類名】明細書
【補正対象項目名】００４２
【補正方法】変更
【補正の内容】
【００４２】
カバー固定部８３ａとカバー開閉部８３ｂとは嵌め込み爪によって一体化し、反転上カバー８３を構成する。図１７は、図１６に示す状態に対して反転上カバー８３を取り付けた状態のプリンタ１００の上部の斜視説明図である。反転上カバー８３の下面に備える爪係合部２７と反転トレイ８２のカバー係合爪２４とを係合させ、反転上カバー８３と反転トレイ８２とをネジで固定する。これにより、反転上カバー８３の上面に物品を積載されても紙詰まりや破損し難い強度を確保することができる。装置本体１に対する反転トレイ８２の固定手段や、反転トレイ８２に対する反転上カバー８３の固定手段としては、ネジ止めに限らず、ロックレバーや爪の嵌め込み等を用いることができる。
【手続補正５】
【補正対象書類名】明細書
【補正対象項目名】００５２
【補正方法】変更
【補正の内容】
【００５２】
プリンタ１００では、反転トレイ８２の用紙ガイド部８２ｂが、用紙Ｐの下面を支持することで、反転中の用紙Ｐの垂れ下がりを抑制できる。また、反転上カバー８３によって、反転中の用紙Ｐに使用者等の手が触れることを抑制できる。また、反転上カバー８３の爪係合部２７と反転トレイ８２のカバー係合爪２４とを係合させ、反転上カバー８３と反転トレイ８２とをネジで固定することにより、反転上カバー８３と反転トレイ８２とを一体化して、反転ユニット８０を構成している。
【手続補正６】
【補正対象書類名】明細書
【補正対象項目名】００５５
【補正方法】変更
【補正の内容】
【００５５】
実施形態のプリンタ１００では、反転ユニット８０が突き当て部８２ｅを有するため、排紙壁面１２の上端と接触する位置は、反転ユニット８０における突き当て面８２ｄの上端となる。そして、実施形態のプリンタ１００で用紙ガイド部８２ｂに荷重が作用したときには、突き当て面８２ｄが排紙壁面１２に突き当たる。このため、荷重が作用する前に排紙壁面１２の上端に接触していた部分の位置が、反転ユニット固定ネジ２８による固定部に近づくように変位することを防止し、用紙ガイド部８２ｂが垂れ下がるような撓みが生じることを抑制できる。
【手続補正７】
【補正対象書類名】明細書
【補正対象項目名】００６２
【補正方法】変更
【補正の内容】
【００６２】
〔変形例３〕
図２２は、反転ユニット８０の三つ目の変形例（以下、「変形例３」と呼ぶ）の分解斜視図である。
図２２に示す変形例３の反転ユニット８０は、突き当て面８２ｄを挟んで用紙ガイド部８２ｂとは反対に突き出た突出部として、反転ユニット８０に反転トレイ突出部８２ｃを設けるとともに、反転上カバー８３に反転上カバー突出部８３ｄを設けている。これら二つの突出部を本体右側上面フレーム２９に固定することによって組み付け強度を確保する構成である。
【手続補正８】
【補正対象書類名】明細書
【補正対象項目名】００６７
【補正方法】変更
【補正の内容】
【００６７】
変形例４の反転ユニット８０では、変形例１と同様に反転上カバー８３の爪係合部２７と反転トレイ８２のカバー係合爪とを係合させることで、反転トレイ８２と反転上カバー８３とを一体化する。そして、反転上カバー８３の反転上カバー突き当て面８３ｊを排紙壁面１２に突き当てた状態で反転上カバー突出部８３ｄに設けた反転ユニット固定ネジ穴２６にネジを通し、本体右側上面フレーム２９に対してネジ止めする。これにより、反転ユニット８０を装置本体１に対して固定する。
【手続補正９】
【補正対象書類名】明細書
【補正対象項目名】００９３
【補正方法】変更
【補正の内容】
【００９３】
図３６（ａ）に示すように、反転上カバー突出部８３ｄを挿入口１ｂに挿入すると、反転上カバー突出部８３ｄの上下方向の移動を規制できる。
反転上カバー８３を介して用紙ガイド部８２ｂに荷重が加わり、突き当て面８２ｄが排紙壁面１２に突き当たる状態では、突き当て面８２ｄの下端を中心に突き当て面８２ｄの上端が図３６（ａ）中の左方向に移動するようなモーメントが作用する。
図３６に示すプリンタ１００では、挿入口１ｂに反転上カバー突出部８３ｄを挿入することで、図３５に示すプリンタ１００と同様に上記モーメントの作用によって反転ユニット８０が移動することを抑制できる。これにより、用紙ガイド部８２ｂに荷重が作用することに起因して装置本体１から反転トレイ８２が脱落することを防止できる。
また、反転上カバー突出部８３ｄが挿入口１ｂに対して図３６（ａ）中の左右方向に移動することを防止する左右方向の移動防止手段の構成としては、図３５のプリンタ１００と同様の構成を用いることができる。
【手続補正１０】
【補正対象書類名】図面
【補正対象項目名】図１４
【補正方法】変更
【補正の内容】
【図１４】
2018043880.tif 000047